(57)【要約】      （修正有）【課題】奥行方向が極めて薄い電子撮像装置を提供する【解決手段】物体側より順に、負レンズ群と光路折り曲げのための反射光学素子Ｐとにて構成された第１−１群Ｇ１−１、正レンズを１枚含む第１−２群Ｇ１−２、正の屈折力を有する第２群Ｇ２を含み、広角端から望遠端に変倍する際は前記第２群が物体側にのみ移動する光路折り曲げズーム光学系及びその像側に配置された電子撮像素子を有し、前記反射光学素子の反射面の直前の屈折面から反射面の直後の屈折面までの光軸上の空気換算長ｄが以下の条件（ａ）を満足する。（ａ）０．５＜ｄ／Ｌ＜２．１、ただし、Ｌは電子撮像素子の有効撮像領域の対角長である。【選択図】図１
2011008274.tif 000002
【特許請求の範囲】
【請求項１】
物体側より順に、負レンズ群と光路折り曲げのための反射光学素子とにて構成された第１−１群、正レンズを１枚含む第１−２群、正の屈折力を有する第２群を含み、広角端から望遠端に変倍する際は前記第２群が物体側にのみ移動する光路折り曲げズーム光学系及びその像側に配置された電子撮像素子を有し、
前記反射光学素子の反射面の直前の屈折面から反射面の直後の屈折面までの光軸上の空気換算長ｄが以下の条件（ａ）を満足することを特徴とする電子撮像装置。
（ａ）      ０．５＜ｄ／Ｌ＜２．１
ただし、Ｌは電子撮像素子の有効撮像領域の対角長である。
【請求項２】
物体側より順に、入射面、射出面の少なくとも一方が凹面である光路折り曲げのための反射光学素子であるプリズムを含む第１−１群、正レンズを１枚含む第１−２群、正の屈折力を有する第２群を含み、広角端から望遠端に変倍する際は前記第２群が物体側へ単調に移動するような光路折り曲げズーム光学系及びその像側に配置された電子撮像素子を有し、
前記反射光学素子の反射面の直前の屈折面から反射面の直後の屈折面までの光軸上の空気換算長ｄが以下の条件（ａ）を満足することを特徴とする電子撮像装置。
（ａ）      ０．５＜ｄ／Ｌ＜２．１
ただし、Ｌは電子撮像素子の有効撮像領域の対角長である。
【請求項３】
前記第１−１群と前記第１−２群のパワー比が以下の条件（ｄ）を満足することを特徴とする請求項１又は２記載の電子撮像装置。
（ｄ）      −０．８＜ｆ11／ｆ12＜１．９
ただし、ｆ11は第１−１群の焦点距離、ｆ12は第１−２群の焦点距離である。
【請求項４】
物体側より順に、負レンズ群と光路折り曲げのための反射光学素子とにて構成された第１−１群、正レンズを１枚含む第１−２群、正の屈折力を有する第２群を含み、広角端から望遠端に変倍する際は前記第２群が物体側にのみ移動する光路折り曲げズーム光学系及びその像側に配置された電子撮像素子を有し、
前記第２群の像側に正の屈折力を有する第３群を含み、広角端から望遠端に変倍する際は前記第２群と第３群が相対的間隔を変えながら移動し、
前記第１−１群と前記第１−２群のパワー比が以下の条件（ｄ）を満足することを特徴とする電子撮像装置。
（ｄ）      −０．８＜ｆ11／ｆ12＜１．９
ただし、ｆ11は第１−１群の焦点距離、ｆ12は第１−２群の焦点距離である。
【請求項５】
物体側より順に、入射面、射出面の少なくとも一方が凹面である光路折り曲げのための反射光学素子であるプリズムを含む第１−１群、正レンズを１枚含む第１−２群、正の屈折力を有する第２群を含み、広角端から望遠端に変倍する際は前記第２群が物体側へ単調に移動するような光路折り曲げズーム光学系及びその像側に配置された電子撮像素子を有し前記第２群の像側に正の屈折力を有する第３群を含み、広角端から望遠端に変倍する際は前記第２群と第３群が相対的間隔を変えながら移動し、
前記第１−１群と前記第１−２群のパワー比が以下の条件（ｄ）を満足することを特徴とする電子撮像装置。
（ｄ）      −０．８＜ｆ11／ｆ12＜１．９
ただし、ｆ11は第１−１群の焦点距離、ｆ12は第１−２群の焦点距離である。
【請求項６】
沈胴時に前記反射光学素子を退避し、その空間に前記反射光学素子よりも物体側にある負レンズ群を収納することを特徴とする請求項１から５の何れか１項記載の電子撮像装置。
【請求項７】
前記反射光学素子を薄板に反射ミラーコーティングを施した反射ミラーで構成し、前記収納時、前記反射ミラーを反射面が折り曲げ前の光軸と垂直な方向にチルトすることを特徴とする請求項６記載の電子撮像装置。
【請求項８】
前記反射面により光路を折り曲げる方向の画角が２５°±３°の範囲内の場合は以下の条件（ａ−１）を満足し、前記画角が１９°±３°の範囲内の場合は以下の条件（ａ−２）を満足することを特徴とする請求項１又は２記載の電子撮像装置。
（ａ−１）  ０．８＜ｄ／Ｌ＜１．９
（ａ−２）  ０．５＜ｄ／Ｌ＜１．５
【請求項９】
前記反射光学素子を、平面部を有するプリズムの平面部に平凹レンズが接合された接合プリズムで構成したことを特徴とする請求項２又は５記載の電子撮像装置。
【請求項１０】
前記ズーム光学系の最も像面側に最終群を配し、前記最終群を除く前記第２群以降の群でフォーカシングを行うことを特徴とする請求項１から１０の何れか１項記載の電子撮像装置。
【請求項１１】
前記第１−２群を含みそれよりも物体側の群全体は変倍時、フォーカシング時共に固定であることを特徴とする請求項１から１０の何れか１項記載の電子撮像装置。
【請求項１２】
前記第１−２群は、物体側から順に、負レンズ、正レンズの２枚若しくは正レンズ１枚から構成したことを特徴とする請求項１から１１の何れか１項記載の電子撮像装置。
【請求項１３】
前記第１−１群における光路を折り曲げるための前記反射光学素子より物体側の負レンズ群は、物体側に凸の負レンズ１枚のみであることを特徴とする請求項１又は４記載の電子撮像装置。
【請求項１４】
前記第２群又は前記第３群の何れか一方が単レンズであることを特徴とする請求項４又は５記載の電子撮像装置。
【請求項１５】
前記第２群又は前記第３群の何れか一方が単レンズで構成され、他方の群が少なくとも凹レンズを含むことを特徴とする請求項４又は５記載の電子撮像装置。
【請求項１６】
前記第２群と前記第３群は変倍時に相対的間隔を変えながら同一方向に移動することを特徴とする請求項４又は５記載の電子撮像装置。
【請求項１７】
望遠端において以下の条件（ｅ）を満足することを特徴とする請求項４又は記載の電子撮像装置。
（ｅ）      ０．７＜−βRt＜２．１
ただし、βRtは第２群以降の望遠端における合成倍率である。
【請求項１８】
前記ズーム光学系後方にある電子撮像素子よりも物体側に、６００ｎｍでの透過率が８０％以上、７００ｎｍでの透過率が１０％以下の近赤外シャープカットコートを用いたフィルターを配したことを特徴とする請求項１から１７の何れか１項記載の電子撮像装置。
【請求項１９】
前記電子撮像素子が補色モザイクフィルターを有することを特徴とする請求項１８記載の電子撮像装置。
【請求項２０】
前記ズーム光学系後方にある電子撮像素子よりも物体側に総厚ｔLPF （ｍｍ）が以下の条
件（ｆ）を満たす光学的ローパスフィルターを配したことを特徴とする請求項１から１９の何れか１項記載の電子撮像装置。
（ｆ）      ０．１５ａ＜ｔLPF ＜０．４５ａ
ただし、ａは電子撮像素子の水平画素ピッチ（単位μｍ）であり、ａは５μｍ以下である。
【請求項２１】
前記ズーム光学系後方にある電子撮像素子よりも物体側に総厚ｔLPF （ｍｍ）が以下の条件（ｆ’）を満たす光学的ローパスフィルターを配したことを特徴とする請求項１から２０の何れか１項記載の電子撮像装置。
（ｆ’）    ０．１３ａ＜ｔLPF ＜０．４２ａ
ただし、ａは電子撮像素子の水平画素ピッチ（単位μｍ）であり、ａは４μｍ以下である。
【請求項２２】
開口形状が固定の複数の開口を有し、その中の１つを第１群の最も像側のレンズ面と第３群の最も物体側のレンズ面の間の何れかの光路内に挿入可能であり、かつ、他の開口と交換可能とすることで像面照度の調節を行うことを特徴とする請求項１から２１の何れか１項記載の電子撮像装置。
【請求項２３】
前記複数の開口の中、一部の開口内に５５０ｎｍに対する透過率が８０％未満である媒体を有すると共に、他の一部の開口の波長５５０ｎｍに対する透過率を８０％以上としたことを特徴とする請求項２２記載の電子撮像装置。
【請求項２４】
ズーム光学系の焦点距離と入射瞳の直径から求まるＦナンバーをＦno、前記開口における波長５５０ｎｍにおける透過率をＴとしたときのＦno／√Ｔを実効Ｆno’とし、前記電子撮像素子の水平画素ピッチをａとするとき、Ｆno’＞ａ（μｍ）／０．４μｍとなるような実効Ｆナンバーに相当する光量になるように調節する場合は、開口内に５５０ｎｍに対する透過率Ｔが８０％未満の媒体を備えた開口を前記ズーム光学系の光路に挿入するようにしたことを特徴とする請求項２２記載の電子撮像装置。
【請求項２５】
前記複数の開口の中の複数にそれぞれ空間周波数特性の異なる光学的ローパスフィルターを配したことを特徴とする請求項２２記載の電子撮像装置。
【請求項２６】
前記反射光学素子を移動させることで撮影方向を変更可能としたことを特徴とする請求項１乃至２５の何れか１項記載の電子撮像装置。
【請求項２７】
前記電子撮像装置は、前記電子撮像素子で受光した物体像を表示する液晶表示素子を含むことを特徴とする請求項１乃至２６の何れか１項に記載の電子撮像装置。
【請求項２８】
前記反射光学素子の反射面の直前の屈折面から反射面の直後の屈折面までの光軸上の空気換算長ｄが以下の条件（ａ’）を満足することを特徴とする請求項１乃至３の何れか１項に記載の電子撮像装置。
（ａ’）    ０．５＜ｄ／Ｌ＜１．４
ただし、Ｌは電子撮像素子の有効撮像領域の対角長である。
【請求項２９】
前記反射光学素子の反射面の直前の屈折面から反射面の直後の屈折面までの光軸上の空気換算長ｄが以下の条件（ａ”）を満足することを特徴とする請求項１乃至３の何れか１項に記載の電子撮像装置。
（ａ”）    ０．５＜ｄ／Ｌ≦１．２０３１３
ただし、Ｌは電子撮像素子の有効撮像領域の対角長である。
【請求項３０】
以下の条件（ｄ’）を満足することを特徴とする請求項３、４、５の何れか１項記載の電子撮像装置。
（ｄ’）    −０．６＜ｆ11／ｆ12＜１．７
【請求項３１】
以下の条件（ｄ”）を満足することを特徴とする請求項３、４、５の何れか記載の電子撮像装置。
（ｄ”）    −０．４＜ｆ11／ｆ12＜１．５
【請求項３２】
以下の条件（ｅ’）を満足することを特徴とする請求項１７記載の電子撮像装置。
（ｅ’）    ０．８＜−βRt＜１．９  
【請求項３３】
以下の条件（ｅ”）を満足することを特徴とする請求項１７記載の電子撮像装置。
（ｅ”）    ０．８５＜−βRt＜１．７  
【請求項３４】
前記ズーム光学系後方にある電子撮像素子よりも物体側に電子撮像素子の水平画素ピッチａ（μｍ）と光学的ローパスフィルターの枚数に応じて総厚ｔLPF （ｍｍ）が以下の条件（ｆ”）を満たす光学的ローパスフィルターを配したことを特徴とする請求項１から３３の何れか記載の電子撮像装置。
（ｆ”）
光学的ローパスフィルター３枚重ね  かつ  ４μm ≦ａ＜５μｍのとき
０．３ａ＜ｔLPF ＜０．４ａ
光学的ローパスフィルター２枚重ね  かつ  ４μm ≦ａ＜５μｍのとき
０．２ａ＜ｔLPF ＜０．２８ａ
光学的ローパスフィルター１枚  かつ  ４μm ≦ａ＜５μｍのとき
０．１ａ＜ｔLPF ＜０．１６ａ
光学的ローパスフィルター３枚重ね  かつ  ａ＜４μｍのとき
０．２５ａ＜ｔLPF ＜０．３７ａ
光学的ローパスフィルター２枚重ね  かつ  ａ＜４μｍのとき
０．１６ａ＜ｔLPF ＜０．２５ａ
光学的ローパスフィルター１枚  かつ  ａ＜４μｍのとき
０．０８ａ＜ｔLPF ＜０．１４ａ
【発明の詳細な説明】
【技術分野】
【０００１】
本発明は、光路折り曲げズーム光学系を有する薄型電子撮像装置に関し、特に、ズームレンズ等の光学系部分の工夫により奥行き方向の薄型化を実現した、ビデオカメラやデジタルカメラを始めとする電子撮像装置に関するものである。
【背景技術】
【０００２】
近年、銀塩３５ｍｍフィルム（通称ライカ版）カメラに代わる次世代カメラとして、デジタルカメラ（電子カメラ）が注目されてきている。さらに、それは業務用高機能タイプからポータブルな普及タイプまで幅広い範囲でいくつものカテゴリーを有するようになってきている。
【０００３】
本発明においては、特にポータブルな普及タイプのカテゴリーに注目し、高画質を確保しながら奥行きの薄いビデオカメラ、デジタルカメラを実現する技術を提供することをねらっている。
【０００４】
カメラの奥行き方向を薄くするのに最大のネックとなっているのは、光学系、特にズームレンズ系の最も物体側の面から撮像面までの厚みである。最近では、撮影時に光学系をカメラボディ内からせり出し、携帯時に光学系をカメラボディ内に収納する、いわゆる沈胴式鏡筒を採用することが主流になっている。しかしながら、使用するレンズタイプやフィルターによって光学系沈胴時の厚みが大きく異なる。特にズーム比やＦ値等の仕様を高く設定するには、最も物体側のレンズ群が正の屈折力を有するいわゆる正先行型ズームレンズは、各々のレンズエレメントの厚みやデッドスペースが大きく、沈胴してもたいして厚みが薄くならない（特許文献１）。負先行型で特に２乃至３群構成のズームレンズはその点有利であるが、群内構成枚数が多かったり、エレメントの厚みが大きかったり、最も物体側のレンズが正レンズの場合は沈胴しても薄くならない（特許文献２）。
【０００５】
現在知られている中で、電子撮像素子用に適し、かつ、ズーム比、画角、Ｆ値等含めた結像性能が良好で、沈胴厚を最も薄くできる可能性を有するものの例として、特許文献３、特許文献４、特許文献５等のものがある。
【０００６】
第１群を薄くするには、入射瞳位置を浅くするのがよいが、そのためには第２群の倍率を高くすることになる。一方、そのために第２群の負担が大きくなり、それ自身を薄くすることが困難になるばかりでなく収差補正の困難さや製造誤差の効きが増大し好ましくない。薄型化小型化を実現するには、撮像素子を小さくすればよいが、同じ画素数とするためには画素ピッチを小さくする必要があり、感度不足を光学系でカバーしなければならない。回折の影響も然りである。
【０００７】
また、奥行の薄いカメラボディにするために、合焦時のレンズ移動を前群ではなくいわゆるリアフォーカスが駆動系のレイアウト上有効である。すると、リアフォーカスを実施したときの収差変動が少ない光学系を選択する必要が出てくる。もう１つの薄型化の手段として、光学系の光路をミラー等で折り曲げる方法がある。この場合、折り曲げのためのスペース上変倍のためのレンズ移動にかなりの制約が発生する。
【先行技術文献】
【特許文献】
【０００８】
【特許文献１】特開平１１−２５８５０７号公報
【特許文献２】特開平１１−５２２４６号公報
【特許文献３】特開平１１−１９４２７４号公報
【特許文献４】特開平１１−２８７９５３号公報
【特許文献５】特開２０００−９９９７号公報
【発明の概要】
【発明が解決しようとする課題】
【０００９】
本発明は従来技術のこのような現状に鑑みてなされたものであり、その目的は、光学系の光路（光軸）をミラー等の反射光学素子で折り曲げたリアフォーカスのズームレンズを採用し、高い仕様、性能を維持しつつ変倍時の移動群の移動に関する制約条件を克服できる光学系のタイプを採用して、奥行方向が極めて薄い電子撮像装置を提供することである。
【課題を解決するための手段】
【００１０】
上記目的を達成するために、本発明の電子撮像装置は、物体側より順に、負レンズ群と光路折り曲げのための反射光学素子とにて構成された第１−１群、正レンズを１枚含む第１−２群、正の屈折力を有する第２群を含み、広角端から望遠端に変倍する際は前記第２群が物体側にのみ移動する光路折り曲げズーム光学系及びその像側に配置された電子撮像素子を有することを特徴とするものである。
【００１１】
以下に、本発明において上記構成をとる理由と作用を説明する。
【００１２】
本発明においては、広角端から望遠端に変倍する際に物体側にのみ移動する群を少なくとも１つ含み、変倍時に可動な全ての群の最も物体側のレンズよりも物体側に光路を折り曲げるための反射光学素子を少なくとも１つ含む光路折り曲げズーム光学系を採用した。レンズ系入射面を物体側に向けなおかつ奥行を薄くするには、光路折り曲げを撮影光学系の出来るだけ物体側の位置で、しかも、光線高が低い空気間隔部で実施するのが好ましい。また、ズームやフォーカス駆動系を複雑化しないために、移動群は折り曲げ位置よりも像側とするのがよい。折り曲げスペースを極力小さくするためには、折り曲げ部近傍での結像に寄与する全ての光線高が低いのがよいことを考えると、折り曲げ部の存在する最も物体側のレンズから変倍時に可動な群の直前までの部分系の合成焦点距離が負であることが望ましい。
【００１３】
折り曲げズーム光学系として相応しいレンズ構成を具体的に述べると、物体側より順に、負レンズ群と光路折り曲げのための反射光学素子とにて構成された第１−１群、正レンズを１枚含む第１−２群、正の屈折力を有する第２群を含み、広角端から望遠端に変倍する際は前記第２群が物体側にのみ移動するタイプである。
【００１４】
折り曲げズーム光学系として相応しいもう１つのレンズ構成を具体的に述べると、物体側より順に、入射面、射出面の少なくとも一方が凹面である光路折り曲げのための反射光学素子であるプリズムを含む第１−１群、正レンズを１枚含む第１−２群、正の屈折力を有する第２群を含み、広角端から望遠端に変倍する際は前記第２群が物体側へ単調に移動するようなタイプである。
【００１５】
この場合、何れのタイプでも、反射光学素子の反射面の直前の屈折面から反射面の直後の屈折面までの光軸上の空気換算長ｄを以下のようにするのがよい。
【００１６】
（ａ）      ０．５＜ｄ／Ｌ＜２．１
ただし、Ｌは電子撮像素子の有効撮像領域（略矩形）の対角長。
【００１７】
この条件（ａ）の上限値の２．１を越えると、光学系が大きくなりすぎる。下限値の０
．５を越えると、画像周辺部の結像に寄与する光束が満足に像面に達しないし、あるいはゴーストが発生しやすい。
【００１８】
なお、光路を折り曲げる方向の画角が２５°±３°の範囲内の場合、約１９°±３°の範囲内の場合、それぞれ以下の範囲がよい。
【００１９】
（ａ−１）  ０．８＜ｄ／Ｌ＜１．９
（ａ−２）  ０．５＜ｄ／Ｌ＜１．５
さらに、次のようにすればより好ましい。
【００２０】
（ａ' −１）０．９＜ｄ／Ｌ＜１．８
（ａ' −２）０．６＜ｄ／Ｌ＜１．４
なお、何れのタイプも近軸的屈折力配置を適切にするために反射面を平面以外で構成してもよい。また、反射面の形状を自由に変えることのできる制御系を設け、それによって変倍の際に発生する焦点位置や収差の変動を補正したり、フォーカスをしたり、変倍をするために形状制御可能な形状可変ミラーにするのがより好ましい。
【００２１】
なお、これとは別に、反射光学素子をプリズム平面部に平凹レンズを接合する等して構成してもよい。歪曲補正のレベルと電子撮像装置の目標サイズとのバランスの関係から、最も物体側にパワーの弱い正レンズを付加してもよい。その場合は、第１−２群はなくてもよい。
【００２２】
これら２つのズームタイプについては、それぞれの最終群は非球面を有する単レンズにて構成するのがよい。歪曲収差、非点収差、コマ収差等、軸外収差の補正には大変効果がある。このレンズによりそれより物体側にて発生する収差をキャンセルしている訳であるから、フォーカス等によって動かすと収差のバランスを崩してしまう。したがって、最終群は固定とした方がよい。
【００２３】
また、フォーカスを実施する群としては、第１群は折り曲げ系であり相応しくないので、最終群を除く第２群以降の群で実施するのがよい。特に、フォーカスによる焦点距離や収差の変動が少ない最終群から物体側に２番目の群を用いてフォーカスを行うのがよい。この場合、より近距離側への合焦は繰り出す方向となる。さらに、フォーカスを行うために、最終群から物体側に２番目の群と３番目の群の望遠端での無限遠物点合焦時の光軸上空気間隔ＤFTが以下の条件式を満足するのがよい。
【００２４】
（ｂ）      ０．１＜ＤFT／ｆT ＜１．５
ただし、ｆT は望遠端での無限遠物点合焦時の全系焦点距離である。
【００２５】
この条件（ｂ）の上限の１．５を越えると、ズーム比の確保が困難となり、下限値の０．１を越えると、フォーカス可能距離レンジを十分にとることができない。
【００２６】
なお、次のようにすればより好ましい。
【００２７】
（ｂ' ）    ０．２＜ＤFT／ｆT ＜１
さらに、次のようにすればなお好ましい。
【００２８】
（ｂ" ）    ０．２５＜ＤFT／ｆT ＜０．８
上記の２つのズームタイプは、第２群の像側に正の屈折力を有する第３群を含み、広角端から望遠端に変倍する際は第２群と第３群が相対的間隔を変えながら移動するようなズーム形式にするとよい。この方式は、スペースを効率良く使って変倍による焦点位置補正
を行いながら高い変倍率を稼ぐことができる。
【００２９】
その場合、無限遠合焦時に広角端から望遠端に変倍する際の第２群、第３群のそれぞれの移動量Ｍ2 、Ｍ3 の比を、
（ｃ）      ０．５＜Ｍ3 ／Ｍ2 ＜２．０
の範囲にするのがよい。この条件の上限値の２．０を越えると、ズーム比やフォーカス可能距離レンジを十分にとることができない。下限値の０．５を越えると、こちらもズーム比の確保が困難である。
【００３０】
なお、次のようにすればより好ましい。
【００３１】
（ｃ' ）    ０．７＜Ｍ3 ／Ｍ2 ＜１．４
さらに、次のようにすればなお好ましい。
【００３２】
（ｃ" ）    ０．８＜Ｍ3 ／Ｍ2 ＜１．２５
上記の２つのズームタイプは、第１群（第１−１群から第１−２群にかけての合成系）をズーム時、フォーカス時に動かすのは光路折り曲げ系につき機構的に困難なため、固定とするのがよい。なお、第１−１群は変倍時固定とするが、第１−２群は移動することが比較的容易なため可動としてもよい。その場合、変倍時に像側に凸の軌跡を描きつつ移動するのがよい。この、第１−２群は色収差や歪曲収差等の軸外収差を補正するために、物体側から順に、負レンズ、正レンズの２枚若しくは正レンズ１枚から構成するのがよい。
【００３３】
さらに、以下の構成上の限定の何れかを加えると、より一層高い仕様、性能、簡素な構成の折り曲げズームレンズ系を得ることができ、撮像装置のさらなる薄型化に寄与する。
【００３４】
○第１−１群は光路を折り曲げるための反射光学素子より物体側の負レンズ群は、物体側に凸の負レンズ１枚のみとする。
【００３５】
この配置が画角を維持しながら光学系の奥行を最も薄くできる構成である。
【００３６】
○その場合、負レンズのパワーがある程度ないと意味がないので、第１−１群と第１−２群のパワー比を、
（ｄ）      −０．８＜ｆ11／ｆ12＜１．９
とする。ただし、ｆ11は第１−１群の焦点距離、ｆ12は第１−２群の焦点距離である。この条件の上下限の１．９、−０．８の何れを越えても、折り曲げ光学素子が大型化しやすい。
【００３７】
なお、次のようにすればより好ましい。
【００３８】
（ｄ' ）    −０．６＜ｆ11／ｆ12＜１．７
さらに、次のようにすればなお好ましい。
【００３９】
（ｄ" ）    −０．４＜ｆ11／ｆ12＜１．５
○第２群又は第３群の何れか一方が単レンズ、もう一方には少なくとも凹レンズを含む。
【００４０】
第２群と第３群は変倍時に相対的間隔をわずかに変えながら概ね同一方向に移動することで、移動スペースを共用でき、少ないスペースで焦点位置を一定に保ちつつ変倍することができるのであるが、その他のメリットとして、それぞれの群の色収差の補正が完結している必要がないということである。つまり、第２群、第３群は相互に色収差が補正でき
る。したがって、何れか一方を単レンズにて構成してもよい。小型軽量化に貢献する。
【００４１】
○第２群と第３群の相対的間隔変化をできるだけ小さく保つには、第２群以降の合成系の倍率が−１倍近傍にて変倍するのがよい。したがって、望遠端においては以下の条件を満足するのがよい。
【００４２】
（ｅ）      ０．７＜−βRt＜２．１
ただし、βRtは第２群以降の望遠端における合成倍率（無限遠物点）である。
【００４３】
この条件の上下限２．１、０．７の何れを越えても、第２群と第３群との相対的間隔の変化量が大きくなってしまう。
【００４４】
なお、次のようにすればより好ましい。
【００４５】
（ｅ' ）    ０．８＜−βRt＜１．９  
さらに、次のようにすればなお好ましい。
【００４６】
（ｅ”）    ０．８５＜−βRt＜１．７  
本発明の電子撮像装置は、また、広角端から望遠端に変倍する際に物体側にのみ移動する群を少なくとも１つ含み、変倍時に可動な全ての群の最も物体側のレンズよりも物体側に入射面・射出面の少なくとも一方が曲率を有する面である光路を折り曲げるための反射光学素子を少なくとも１つ含む光路折り曲げズーム光学系及びその像側に配置された電子撮像素子を有することを特徴とするものを含むものである。
【００４７】
このように、光路を折り曲げるための反射光学素子（プリズム）に屈折力を保有させることで、レンズ要素数を削減でき、コンパクト化やコストダウンに寄与する。
【００４８】
この場合に、光路を折り曲げるための反射光学素子を光路折り曲げズーム光学系の最も物体側に配置することができる。
【００４９】
このように、光路折り曲げ素子は出来るだけ物体側に配した方が、電子撮像装置の奥行き方向を薄くできる。
【００５０】
また、光路を折り曲げるための反射光学素子の入射面を物体側に凹面を向けた構成にすることができる。
【００５１】
本発明の一例である、物体側から負メニスカスレンズ、光路折り曲げプリズムの順に構成したズーム光学系を有する薄型電子撮像装置に対し、光路折り曲げプリズムの入射面に負の屈折力を持たせることで、その負メニスカスレンズを省略でき、電子撮像装置の奥行き方向をより薄くすることが可能となる。
【００５２】
その場合に、光路を折り曲げるための反射光学素子の入射面を非球面とすることができる。
【００５３】
入射面の光軸上曲率が負値（物体側に凹面を向けた構成）である場合、歪曲収差等の軸外収差補正上不利となるため、非球面を導入することでその収差補正を可能としている。
【００５４】
そして、光路を折り曲げるための反射光学素子の射出面を平面とすることができる。
【００５５】
上記のように、入射面に非球面を導入すると、射出面との面間偏心精度の確保が困難と
なるため、もう一方の面（射出面）を平面として面間偏心要求精度を緩和することができる。
【００５６】
また、広角端から望遠端に変倍する際に物体側にのみ移動する群は、２つの正レンズと少なくとも１つの負レンズとからなり、少なくとも１つずつの正レンズと負レンズが互いに接合されているものとすることができる。
【００５７】
広角端から望遠端に変倍する際に物体側にのみ移動する群においては、正レンズと負レンズの相対偏心による収差の劣化が大きい傾向にある。したがって、上記のように出来るだけ互いに接合しておいた方が好ましい。
【００５８】
また、広角端から望遠端に変倍する際に物体側にのみ移動する群は、２つの正レンズと１つの負レンズとからなり、その負レンズが少なくとも一方の正レンズと互いに接合されているものとすることができる。
【００５９】
このように、広角端から望遠端に変倍する際に物体側にのみ移動する群は、２つの正レンズと１つの負レンズの合計３枚が最低構成要素である。
【００６０】
さて、次に、フィルター類を薄くすることについて言及する。電子撮像装置には、通常赤外光が撮像面に入射しないように一定の厚みのある赤外吸収フィルターを撮像素子よりも物体側に挿入している。これを厚みのないコーティングに置き換えることを考える。当然その分薄くなる訳だが、副次的効果がある。ズームレンズ系後方にある電子撮像素子よりも物体側に、６００ｎｍでの透過率が８０％以上、７００ｎｍでの透過率が１０％以下の近赤外シャープカットコートを導入すると、吸収タイプよりも相対的に赤側の透過率が高くなり、補色モザイクフィルターを有するＣＣＤの欠点である青紫側のマゼンタ化傾向がゲイン調整により緩和され、原色フィルターを有するＣＣＤ並みの色再現を得ることができる。一方、補色フィルターの場合、その透過光エネルギーの高さから原色フィルター付きＣＣＤと比べ実質的感度が高く、かつ，解像的にも有利であるため、小型ＣＣＤを使用したときのメリットが大である。もう一方のフィルターである光学的ローパスフィルターについてもその総厚ｔLPF 以下の条件を満たすようにするとよい。
【００６１】
（ｆ）      ０．１５ａ＜ｔLPF ＜０．４５ａ
ａは電子撮像素子の水平画素ピッチ（単位μｍ）。
【００６２】
光学的ローパスフィルターを薄くすると、一般的にはモアレ抑制効果が減少して好ましくない。一方、画素ピッチが小さくなるにつれて結像レンズ系の回折の影響によりナイキスト限界以上の周波数成分のコントラストは減少し、モアレ抑制効果の減少はある程度許容されるようになる。例えば、像面上投影時の方位角度が水平（＝０°）と±４５°方向にそれぞれ結晶軸を有する３種類のフィルターを光軸方向に重ねて使用する場合、かなりモアレ抑制効果があることが知られている。この場合のフィルターが最も薄くなる仕様としては、水平にａμｍ、±４５°方向にそれぞれSQRT(1/2) ＊ａμｍだけずらせるものが知られている。このときのフィルター厚は、凡そ［１＋２＊SQRT(1/2) ］＊ａ／５．８８（ｍｍ）となる。ここで、ＳＱＲＴはスクエアルートであり平方根を意味する。これは、丁度ナイキスト限界に相当する周波数においてコントラストをゼロにする仕様である。これよりは数％乃至数十％程度薄くすると、ナイキスト限界に相当する周波数のコントラストが少し出てくるが、上記回折の影響で抑えるることが可能になる。
【００６３】
上記以外のフィルター仕様、例えば２枚重ねあるいは１枚で実施する場合も含めて、条件（ｆ）を満足するのがよい。その上限値の０．４５ａを越えると、光学的ローパスフィルターが厚すぎ薄型化の妨げになる。下限値の０．１５ａを越えると、モアレ除去が不十
分になる。ただし、これを実施する場合のａの条件は５μｍ以下である。
【００６４】
ａが４μｍ以下なら、より回折の影響を受けやすいので、
（ｆ' ）    ０．１３ａ＜ｔLPF ＜０．４２ａ
としてもよい。また、水平画素ピッチと重ねるローパスフィルターの枚数に応じて、以下のようにしてもよい。
【００６５】
（ｆ”）４μm 以上：
０．３ａ＜ｔLPF ＜０．４ａ      …３枚重ね  ａ＜５μｍ
０．２ａ＜ｔLPF ＜０．２８ａ    …２枚重ね  ａ＜５μｍ
０．１ａ＜ｔLPF ＜０．１６ａ    …１枚      ａ＜５μｍ
４μｍ以下：
０．２５ａ＜ｔLPF ＜０．３７ａ  …３枚重ね  ａ＜４μｍ
０．１６ａ＜ｔLPF ＜０．２５ａ  …２枚重ね  ａ＜４μｍ
０．０８ａ＜ｔLPF ＜０．１４ａ  …１枚      ａ＜４μｍ
画素ピッチの小さな電子撮像素子を使用する場合、絞り込みによる回折効果の影響で画質が劣化する。したがって、開口サイズが固定の複数の開口を有し、その中の１つを第１群の最も像側のレンズ面と第３群の最も物体側のレンズ面の間の何れかの光路内に挿入でき、かつ、他の開口と交換可能とすることで像面照度の調節することができる電子撮像装置としておき、その複数の開口の中、一部の開口内に５５０ｎｍに対する透過率がそれぞれ異なり、かつ、８０％未満であるような媒体を有するようにして光量調節を行なうのがよい。あるいは、ａ（μｍ）／Ｆナンバー＜０．４となるようなＦ値に相当する光量になるように調節を実施する場合は、開口内に５５０ｎｍに対する透過率がそれぞれ異なりかつ８０％未満の媒体を有する電子撮像装置とするのがよい。例えば、開放値から上記条件の範囲外ではその媒体なしかあるいは５５０ｎｍに対する透過率が９１％以上のダミー媒質としておき、範囲内のときは回折の影響が出る程に開口絞り径を小さくするのではなく、ＮＤフィルターのようなもので光量調節するのがよい。
【００６６】
また、その複数の開口をそれぞれ径をＦ値に反比例して小さくしたものにして揃えておき、ＮＤフィルターの代わりにそれぞれ周波数特性の異なる光学的ローパスフィルターを開口内に入れておくのでもよい。絞り込むにつれて回折劣化が大きくなるので、開口径が小さくなる程光学的ローパスフィルターの周波数特性を高く設定しておく。
【００６７】
電子撮像装置の薄型化は、光学系の構成の工夫の他に、機械的機構やレイアウトの工夫も重要である。特に、撮影をしないときにレンズを本体内に収納するいわゆる沈胴方式を採用することは重要である。その機構として、本発明のレンズ構成の場合には、既に本体内にある反射光学素子を光路から本体内の別の空間に退避し、その空いた光路上の空間に、反射光学素子よりも物体側にあって撮影時には本体から突出しているレンズ群を移動して収納する方式を採用するのがよい。
【００６８】
なお、本発明に採用したレンズ構成以外であっても、物体側より順に、負の第１レンズ群、光路折り曲げのための反射光学素子、正の第２レンズ群を有するような光学系であれば、反射光学素子を光路から本体内の別の空間に退避し、その空いた光路上の空間に第１レンズ群を移動して収納する方式が使える。
【００６９】
さらに、第１レンズ群の収納時、第２レンズ群が撮影時の最も像面から離れた位置よりも像側に退避するようにするとよい。第２レンズ群以降には変倍やフォーカスのための移動スペースがあるので、例えば収納時にそれを有効利用するために、収納時には第２群はできるだけ像側に押し下げ、必要によっては反射光学素子も像側に移動して第１群を収納したりすることができる。
【００７０】
反射光学素子が特に薄板に反射ミラーコーティングを施した反射ミラーで構成するような場合は、その収納時に、反射ミラーを反射面が折り曲げ、前の光軸と垂直となるように退避させることができるので、退避スペースを必要とせずに第１群の収納が可能である。
【００７１】
その他、収納時に反射光学素子以外のレンズ１枚１枚を倒したり移動して収納空間を作りだしてもよい。
【００７２】
プリズムを外殻のみ固体で形成し、内部を液体等で充填したもので構成する場合は、内部の液体を抜いて薄くするのもよい。
【００７３】
なお、反射光学素子を利用した光学系を用いると、以下のようなことが可能になる。
【００７４】
最も優れた応用例として、ポロプリズム方式のファインダーと融合したＴＴＬ一眼レフ光学系である。
【００７５】
例えば、反射光学素子を含む撮影光学系と撮像素子との間に、反射光学素子での反射前後の光軸を含む平面に対し略直角の側にも光路を分割する第２の反射面（時分割でも振幅分割でも何でもよい）を設け、その反射側に沿ってその第２の反射面の法線に対し略同一平面内でかつ略直角である法線を有する第３の反射面を設け、さらに、反射後の光路がその撮影光学系の入射側の光軸と略平行に射出するように第４の反射面を設けたもの等である。これは、カメラの薄型化に大きく貢献する。
【００７６】
第２の応用例として、反射光学素子とそれよりも物体側の光学系を例えば撮影光学系の入射瞳位置近傍を回転中心に回転して撮影方向を変えることができる。あるいは、光学的な手ブレ補正も可能である。
【発明の効果】
【００７７】
以上の説明から明らかなように、本発明により、沈胴厚が薄く、収納性に優れ、かつ、高倍率でリアフォーカスにおいても結像性能の優れたズームレンズを得ることができ、ビデオカメラやデジタルカメラの徹底的薄型化を図ることが可能となる。
【図面の簡単な説明】
【００７８】
【図１】本発明の電子撮像装置に用いられる光路折り曲げズーム光学系の実施例１の無限遠物点合焦時の望遠端（ａ）、中間状態（ｂ）、広角端（ｃ）でのレンズ断面図である。
【図２】実施例２の光路折り曲げズーム光学系の図１と同様のレンズ断面図である。
【図３】実施例３の光路折り曲げズーム光学系の図１と同様のレンズ断面図である。
【図４】実施例４の光路折り曲げズーム光学系の図１と同様のレンズ断面図である。
【図５】実施例５の光路折り曲げズーム光学系の図１と同様のレンズ断面図である。
【図６】実施例６の光路折り曲げズーム光学系の図１と同様のレンズ断面図である。
【図７】実施例７の光路折り曲げズーム光学系の図１と同様のレンズ断面図である。
【図８】実施例８の光路折り曲げズーム光学系の図１と同様のレンズ断面図である。
【図９】実施例９の光路折り曲げズーム光学系の図１と同様のレンズ断面図である。
【図１０】実施例１０の光路折り曲げズーム光学系の図１と同様のレンズ断面図である。
【図１１】実施例１１の光路折り曲げズーム光学系の図１と同様のレンズ断面図である。
【図１２】実施例１２の光路折り曲げズーム光学系の図１と同様のレンズ断面図である。
【図１３】実施例１の無限遠物点合焦時の収差図である。
【図１４】実施例１２の無限遠物点合焦時の収差図である。
【図１５】本発明の光路折り曲げズーム光学系の沈胴方式の１例を説明するための図である。
【図１６】光路折り曲げ用の反射光学素子をミラーで構成した場合の１つの沈胴方式の概念図である。
【図１７】光路折り曲げ用の反射光学素子をミラーで構成した場合の別の沈胴方式の概念図である。
【図１８】光路折り曲げ用の反射光学素子を液体プリズムあるいは変形可能なプリズムで構成した場合の別の沈胴方式の概念図である。
【図１９】光路折り曲げ用の反射光学素子を形状可変ミラーで構成する場合の合焦方式の概念図である。
【図２０】形状可変ミラーの面形状を説明するための概念図である。
【図２１】光路折り曲げ用の反射光学素子を形状可変ミラーで構成する場合の手ブレ補正方式の概念図である。
【図２２】光路折り曲げズーム光学系からファインダー光路を分割する構成の概念図である。
【図２３】近赤外シャープカットコートの一例の透過率特性を示す図である。
【図２４】ローパスフィルターの射出面側に設ける色フィルターの一例の透過率特性を示す図である。
【図２５】補色モザイクフィルターの色フィルター配置を示す図である。
【図２６】補色モザイクフィルターの波長特性の一例を示す図である。
【図２７】各実施例の明るさ絞りの部分の一例の詳細を示す斜視図である。
【図２８】各実施例の明るさ絞りの部分の別の例の詳細を示す図である。
【図２９】本発明による光路折り曲げズーム光学系を組み込んだデジタルカメラの外観を示す前方斜視図である。
【図３０】図２９のデジタルカメラの後方斜視図である。
【図３１】図２９のデジタルカメラの断面図である。
【図３２】本発明による光路折り曲げズーム光学系を対物光学系として組み込れたパソコンのカバーを開いた前方斜視図である。
【図３３】パソコンの撮影光学系の断面図である。
【図３４】図３２の状態の側面図である。
【図３５】本発明による光路折り曲げズーム光学系を対物光学系として組み込れた携帯電話の正面図、側面図、その撮影光学系の断面図である。
【発明を実施するための形態】
【００７９】
以下、本発明の電子撮像装置に用いられる光路折り曲げズーム光学系の実施例１〜１２について説明する。これらの実施例の無限遠物点合焦時の望遠端（ａ）、中間状態（ｂ）、広角端（ｃ）でのレンズ断面図をそれぞれ図１〜図１２に示す。各図中、第１群はＧ１、第１−１群はＧ１−１、第１−２群はＧ１−２、第２群はＧ２、第３群はＧ３、第４群はＧ４、第５群はＧ５、光路折り曲げプリズムはＰ、開口絞り（独立の場合）はＳ、近赤外カットフィルターはＩＦ、近赤外カットコート面はＩＣ、ローパスフィルターはＬＦ、電子撮像素子であるＣＣＤのカバーガラスはＣＧ、ＣＣＤの像面はＩで示してあり、物体側から順に配置された近赤外カットフィルターＩＦ、ローパスフィルターＬＦ、カバーガラスＣＧ、あるいは、近赤外カットコート面ＩＣ、ローパスフィルターＬＦ、カバーガラスＣＧは、最終群と像面Ｉの間に固定配置されている。
【００８０】
実施例１の光路折り曲げズーム光学系は、図１に示すように、両凹負レンズと等価な光路折り曲げプリズムＰからなる第１−１群Ｇ１−１、両凸正レンズからなる第１−２群Ｇ１−２、開口絞りと両凸正レンズからなる第２群Ｇ２、両凸正レンズと両凹負レンズの接
合レンズと両凸正レンズからなる第３群Ｇ３、物体側に凸の負メニスカスレンズからなる第４群Ｇ４、両凸正レンズからなる第５群Ｇ５からなり、広角端から望遠端に変倍する際は、第２群Ｇ２と第３群Ｇ３は間の間隔を一旦は広げ後に狭めながら物体側へ移動し、第４群Ｇ４は第３群Ｇ３との間隔を広げながら物体側へ移動する。
【００８１】
非球面は、第１−２群Ｇ１−２の両凸正レンズの物体側の面、第２群Ｇ２の両凸正レンズの物体側の面、第４群Ｇ４の負メニスカスレンズの像面側の面、第５群Ｇ５の両凸正レンズの像面側の面の４面に用いられている。
【００８２】
実施例２の光路折り曲げズーム光学系は、図２に示すように、両凹負レンズと等価な光路折り曲げプリズムＰからなる第１−１群Ｇ１−１、両凸正レンズからなる第１−２群Ｇ１−２、独立に移動する開口絞りＳ、両凸正レンズと物体側に凸の正メニスカスレンズと物体側に凸の負メニスカスレンズからなる第２群Ｇ２、両凸正レンズと像面側に凸の負メニスカスレンズからなる第３群Ｇ３、物体側に凸の正メニスカスレンズからなる第４群Ｇ４からなり、広角端から望遠端に変倍する際は、第２群Ｇ４と第３群Ｇ３は相互に間隔を広げながら物体側へ移動する。第１−２群Ｇ１−２と第２群Ｇ４の間に配置された開口絞りＳも、第１−２群Ｇ１−２と第２群Ｇ４の間の間隔を狭めながら物体側へ移動する。
【００８３】
非球面は、第１−２群Ｇ１−２の両凸正レンズの物体側の面、第２群Ｇ２の最も物体側の面、第４群Ｇ４の正メニスカスレンズの物体側の面の３面に用いられている。
【００８４】
実施例３の光路折り曲げズーム光学系は、図３に示すように、物体側に凸の負メニスカスレンズと平行平面板と等価な光路折り曲げプリズムＰからなる第１−１群Ｇ１−１、両凹負レンズと両凸正レンズからなる第１−２群Ｇ１−２、開口絞りと両凸正レンズからなる第２群Ｇ２、両凸正レンズと物体側に凸の負メニスカスレンズと両凸正レンズと像面側に凸の負メニスカスレンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【００８５】
非球面は、第１−２群Ｇ１−２の両凸正レンズの物体側の面、第３群Ｇ３の最も物体側の面、第４群Ｇ４の正メニスカスレンズの物体側の面の３面に用いられている。
【００８６】
実施例４の光路折り曲げズーム光学系は、図４に示すように、物体側に凸の負メニスカスレンズと平行平面板と等価な光路折り曲げプリズムＰからなる第１−１群Ｇ１−１、両凹負レンズと両凸正レンズからなる第１−２群Ｇ１−２、開口絞りと両凸正レンズと両凸正レンズと物体側に凸の負メニスカスレンズからなる第２群Ｇ２、物体側に凸の正メニスカスレンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【００８７】
非球面は、第１−２群Ｇ１−２の両凸正レンズの物体側の面、第２群Ｇ２の絞りの後の両凸正レンズの物体側の面、第４群Ｇ４の正メニスカスレンズの物体側の面の３面に用いられている。
【００８８】
実施例５の光路折り曲げズーム光学系は、図５に示すように、物体側に凸の正メニスカスレンズと物体側に凸の負メニスカスレンズと平行平面板と等価な光路折り曲げプリズムＰからなる第１群Ｇ１、開口絞りと両凸正レンズからなる第２群Ｇ２、両凸正レンズと両凹負レンズの接合レンズと両凸正レンズからなる第３群Ｇ３、物体側に凸の負メニスカスレンズからなる第４群Ｇ４、物体側に凸の正メニスカスレンズからなる第５群Ｇ５からなり、広角端から望遠端に変倍する際は、第２群Ｇ２と第３群Ｇ３は間の間隔を一旦は広げ
後に狭めながら、また、第３群Ｇ３と第４群Ｇ４は間の間隔を広げながら、物体側へ移動し、第５群Ｇ５は若干像面側へ移動する。
【００８９】
非球面は、第１群Ｇ１の両凸正レンズの像面側の面、第２群Ｇ２の両凸正レンズの物体側の面、第４群Ｇ４の負メニスカスレンズの像面側の面、第５群Ｇ５の正メニスカスレンズの像面側の面の４面に用いられている。
【００９０】
実施例６の光路折り曲げズーム光学系は、図６に示すように、両凸正レンズと両凹負レンズと平行平面板と等価な光路折り曲げプリズムＰからなる第１群Ｇ１、開口絞りと、両凸正レンズと像面側に凸の負メニスカスレンズの接合レンズからなる第２群Ｇ２、物体側に凸の負メニスカスレンズからなる第３群Ｇ３、両凸正レンズからなる第４群Ｇ４からなり、広角端から望遠端に変倍する際は、第２群Ｇ２と第３群Ｇ３は間の間隔を広げながら物体側へ移動し、第４群Ｇ４は像面側に凸の軌跡を描きつつ望遠側では物体側へ若干移動する。
【００９１】
非球面は、第１群Ｇ１の両凹負レンズの物体側の面、第２群Ｇ２の最も物体側の面、第３群Ｇ３の負メニスカスレンズの像面側の面の３面に用いられている。  実施例７の光路折り曲げズーム光学系は、図７に示すように、物体側に凸の負メニスカスレンズと平行平面板と等価な光路折り曲げプリズムＰからなる第１−１群Ｇ１−１、両凹負レンズと両凸正レンズからなる第１−２群Ｇ１−２、開口絞りと両凸正レンズと、両凸正レンズと像面側に凸の負メニスカスレンズの接合レンズと、物体側に凸の負メニスカスレンズ２枚からなる第２群Ｇ２、像面側に凸の正メニスカスレンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【００９２】
非球面は、第１−１群Ｇ１−１の負メニスカスレンズの像面側の面、第２群Ｇ２の最も物体側の面、第４群Ｇ４の正メニスカスレンズの物体側の面の３面に用いられている。
【００９３】
実施例８の光路折り曲げズーム光学系は、図８に示すように、物体側に凸の負メニスカスレンズと平行平面板と等価な光路折り曲げプリズムＰからなる第１−１群Ｇ１−１、両凹負レンズと物体側に凸の正メニスカスレンズからなる第１−２群Ｇ１−２、開口絞りと両凸正レンズと、両凸正レンズと両凹負レンズの接合レンズからなる第２群Ｇ２、像面側に凸の正メニスカスレンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【００９４】
非球面は、第１−１群Ｇ１−１の負メニスカスレンズの物体側の面、第２群Ｇ２の最も物体側の面、第４群Ｇ４の正メニスカスレンズの像面側の面の３面に用いられている。
【００９５】
実施例９の光路折り曲げズーム光学系は、図９に示すように、物体側に凸の負メニスカスレンズと平行平面板と等価な光路折り曲げプリズムＰからなる第１−１群Ｇ１−１、物体側に凸の負メニスカスレンズと物体側に凸の正メニスカスレンズからなる第１−２群Ｇ１−２、開口絞りと両凸正レンズからなる第２群Ｇ２、両凸正レンズと物体側に凸の負メニスカスレンズと、両凸正レンズと両凹負レンズの接合レンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に若干狭めながら物体側へ移動する。
【００９６】
非球面は、第１−２群Ｇ１−２の負メニスカスレンズの像面側の面、第３群Ｇ２の最も物体側の面、第４群Ｇ４の正メニスカスレンズの物体側の面の３面に用いられている。
【００９７】
実施例１０の光路折り曲げズーム光学系は、図１０に示すように、物体側に凸の負メニスカスレンズと平行平面板と等価な光路折り曲げプリズムＰからなる第１−１群Ｇ１−１、物体側に凸の負メニスカスレンズと物体側に凸の正メニスカスレンズからなる第１−２群Ｇ１−２、開口絞りと、両凸正レンズと像面側に凸の負メニスカスレンズの接合レンズからなる第２群Ｇ２、物体側に凸の正メニスカスレンズと物体側に凸の負メニスカスレンズと、両凸正レンズと両凹負レンズの接合レンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【００９８】
非球面は、第１−２群Ｇ１−２の負メニスカスレンズの像面側の面、第３群Ｇ２の最も物体側の面、第４群Ｇ４の正メニスカスレンズの物体側の面の３面に用いられている。
【００９９】
実施例１１の光路折り曲げズーム光学系は、図１１に示すように、物体側に凸の負メニスカスレンズと平行平面板と等価な光路折り曲げプリズムＰからなる第１−１群Ｇ１−１、物体側に凸の負メニスカスレンズと物体側に凸の正メニスカスレンズからなる第１−２群Ｇ１−２、開口絞りと、両凸正レンズと像面側に凸の負メニスカスレンズの接合レンズからなる第２群Ｇ２、物体側に凸の正メニスカスレンズと、凸平正レンズと平凹負レンズの接合レンズからなる第３群Ｇ３、両凸正レンズからなる第４群Ｇ４からなり、広角端から望遠端に変倍する際は、第２群Ｇ２は第３群Ｇ３は間の間隔を一旦は広げ後に狭めながら物体側へ移動する。
【０１００】
非球面は、第１−２群Ｇ１−２の負メニスカスレンズの像面側の面、第３群Ｇ３の正メニスカスレンズの物体側の面、第４群Ｇ４の両凸正レンズの像面側の面の３面に用いられている。
【０１０１】
実施例１２の光路折り曲げズーム光学系は、図１２に示すように、凹平負レンズと等価な光路折り曲げプリズムＰからなる第１−１群Ｇ１−１、物体側に凹の負メニスカスレンズと物体側に凹の正メニスカスレンズの接合レンズからなる第１−２群Ｇ１−２、開口絞りと、両凸正レンズと、物体側に凸の正メニスカスレンズと物体側に凸の負メニスカスレンズの接合レンズとからなる第２群Ｇ２、両凸正レンズからなる第３群Ｇ３、像面側に凸の正メニスカスレンズからなる第４群Ｇ４からなり、広角端から望遠端に変倍する際は、第２群Ｇ２と第３群Ｇ３は間の間隔を一旦は広げ後に狭めながら物体側へ移動する。
【０１０２】
非球面は、第１−１群Ｇ１−１の光路折り曲げプリズムＰの物体側の面、第２群Ｇ２の最も物体側の面、第４群Ｇ４の正メニスカスレンズの像面側の面の３面に用いられている。
【０１０３】
以下に、上記各実施例の数値データを示すが、記号は上記の外、ｆは全系焦点距離、２ωは画角、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１０４】
ｘ＝（ｙ2 ／ｒ）／［１＋｛１−（Ｋ＋１）（ｙ／ｒ）2 ｝1/2 ］
＋A4ｙ4 ＋A6ｙ6 ＋A8ｙ8 ＋ A10ｙ10 
ただし、ｒは近軸曲率半径、Ｋは円錐係数、A4、A6、A8、A10 はそれぞれ４次、６次、８次、１０次の非球面係数である。
【０１０５】
実施例１
ｒ1 =   -26.8147            ｄ1 =  3.8000   ｎd1 =1.73400 νd1 =51.47 
ｒ2 =     ∞（反射面）      ｄ2 =  3.2000   ｎd2 =1.73400 νd2 =51.47 
ｒ3 =     6.2254            ｄ3 =  1.7202   
ｒ4 =   424.9864（非球面）  ｄ4 =  2.4297   ｎd3 =1.84666 νd3 =23.78 
ｒ5 =   -48.1247            ｄ5 = （可変）  
ｒ6 =     ∞（絞り）        ｄ6 =  0.5000   
ｒ7 =    17.8731（非球面）  ｄ7 =  2.0000   ｎd4 =1.58913 νd4 =61.26 
ｒ8 =   -16.6911            ｄ8 = （可変）  
ｒ9 =     7.9903            ｄ9 =  6.2379   ｎd5 =1.48749 νd5 =70.23 
ｒ10=   -14.7007            ｄ10=  0.8488   ｎd6 =1.84666 νd6 =23.78 
ｒ11=     7.0178            ｄ11=  1.1903   
ｒ12=    11.2307            ｄ12=  1.6307   ｎd7 =1.84666 νd7 =23.78 
ｒ13=   -24.5400            ｄ13= （可変）  
ｒ14=    18.1763            ｄ14=  0.5000   ｎd8 =1.84666 νd8 =23.78 
ｒ15=     5.9110（非球面）  ｄ15= （可変）  
ｒ16=    14.1876            ｄ16=  3.0000   ｎd9 =1.58913 νd9 =61.26 
ｒ17=    -7.1178（非球面）  ｄ17=  0.5006   
ｒ18=     ∞                ｄ18=  0.8000   ｎd10=1.51633 νd10=64.14 
ｒ19=     ∞                ｄ19=  1.8000   ｎd11=1.54771 νd11=62.84 
ｒ20=     ∞                ｄ20=  0.5000   
ｒ21=     ∞                ｄ21=  0.5000   ｎd12=1.51633 νd12=64.14 
ｒ22=     ∞                ｄ22=  1.1914   
ｒ23=     ∞（像面）        
非球面係数
第４面
Ｋ = 0.0195 
A4 = 5.4111 ×10-4
A6 = 2.1984 ×10-6
A8 = 4.5957 ×10-7
A10=-1.0754 ×10-8
第７面
Ｋ = 5.8821 
A4 =-2.7575 ×10-4
A6 = 5.8194 ×10-6
A8 =-7.9649 ×10-7
A10= 3.4848 ×10-8
第１５面
Ｋ =-3.6043 
A4 = 2.6150 ×10-3
A6 =-8.5623 ×10-6
A8 =-2.8972 ×10-6
A10= 1.5174 ×10-7
第１７面
Ｋ = 0.8882 
A4 = 1.1140 ×10-3
A6 =-8.5962 ×10-6
A8 = 3.9677 ×10-7
A10= 3.1086 ×10-8
ズームデータ（∞）
ＷＥ            ＳＴ            ＴＥ
ｆ (mm)            4.59000          8.95000        13.23000 
ＦNO               2.8316           3.8724          4.6438
２ω (°)          65.5            34.0            23.0   
ｄ5                12.93741         5.34873         2.00000 
ｄ8                 2.61607         2.85689         0.50000 
ｄ13                1.09671         5.22639        10.38165 
ｄ15                1.00016         4.21405         4.71724                 。
【０１０６】
実施例２
ｒ1 =  -129.7294            ｄ1 =  4.5500   ｎd1 =1.80400 νd1 =46.57 
ｒ2 =     ∞（反射面）      ｄ2 =  4.0019   ｎd2 =1.80400 νd2 =46.57 
ｒ3 =     5.3898            ｄ3 =  1.6465   
ｒ4 =    30.0332（非球面）  ｄ4 =  1.4609   ｎd3 =1.84666 νd3 =23.78 
ｒ5 =   -35.8611            ｄ5 = （可変）  
ｒ6 =     ∞（絞り）        ｄ6 = （可変）  
ｒ7 =     9.6063（非球面）  ｄ7 =  2.7296   ｎd4 =1.48749 νd4 =70.23 
ｒ8 =   -30.8421            ｄ8 =  0.1469   
ｒ9 =    10.1172            ｄ9 =  2.1277   ｎd5 =1.69680 νd5 =55.53 
ｒ10=    97.1974            ｄ10=  0.0500   
ｒ11=    12.1982            ｄ11=  0.7949   ｎd6 =1.84666 νd6 =23.78 
ｒ12=     5.7271            ｄ12= （可変）  
ｒ13=    14.2960            ｄ13=  4.0342   ｎd7 =1.48749 νd7 =70.23 
ｒ14=   -15.7323            ｄ14=  0.1401   
ｒ15=   -18.5671            ｄ15=  1.1241   ｎd8 =1.84666 νd8 =23.78 
ｒ16=   -29.8834            ｄ16= （可変）  
ｒ17=    46.3841（非球面）  ｄ17=  1.1752   ｎd9 =1.58913 νd9 =61.26 
ｒ18=   541.6142            ｄ18=  0.4453   
ｒ19=     ∞                ｄ19=  0.8000   ｎd10=1.51633 νd10=64.14 
ｒ20=     ∞                ｄ20=  1.8000   ｎd11=1.54771 νd11=62.84 
ｒ21=     ∞                ｄ21=  0.5000   
ｒ22=     ∞                ｄ22=  0.5000   ｎd12=1.51633 νd12=64.14 
ｒ23=     ∞                ｄ23=  1.2588   
ｒ24=     ∞（像面）        
非球面係数
第４面
Ｋ =42.6072 
A4 = 4.5281 ×10-4
A6 =-1.2752 ×10-6
A8 = 2.9327 ×10-7
A10= 0
第７面
Ｋ = 0
A4 =-2.9136 ×10-4
A6 =-7.7511 ×10-7
A8 = 2.4221 ×10-8
A10= 0
第１７面
Ｋ = 0
A4 =-8.0585 ×10-4
A6 = 1.7583 ×10-5
A8 =-1.1309 ×10-6
A10= 0
ズームデータ（∞）
ＷＥ            ＳＴ            ＴＥ
ｆ (mm)             4.71141         7.84455        13.21508 
ＦNO                2.8000          3.6612          5.0650
２ω (°)          67.8            41.2            24.8   
ｄ5                10.20144         4.70557         1.12127 
ｄ6                 7.09024         5.59391         1.24849 
ｄ12                3.08267         9.70509        10.04403 
ｄ16                0.98577         1.28696         8.72623                 。
【０１０７】
実施例３
ｒ1 =    22.0799            ｄ1 =  0.7823   ｎd1 =1.80400 νd1 =46.57 
ｒ2 =     7.0105            ｄ2 =  1.1905   
ｒ3 =     ∞                ｄ3 =  3.8000   ｎd2 =1.80400 νd2 =46.57 
ｒ4 =     ∞（反射面）      ｄ4 =  3.4483   ｎd3 =1.80400 νd3 =46.57 
ｒ5 =     ∞                ｄ5 =  0.4000   
ｒ6 =   -43.4610            ｄ6 =  0.7742   ｎd4 =1.77250 νd4 =49.60 
ｒ7 =     9.6384            ｄ7 =  0.6369   
ｒ8 =    19.1908（非球面）  ｄ8 =  1.6810   ｎd5 =1.84666 νd5 =23.78 
ｒ9 =   -40.1274            ｄ9 = （可変）  
ｒ10=     ∞（絞り）        ｄ10=  0.5000   
ｒ11=    85.1662            ｄ11=  1.5117   ｎd6 =1.58913 νd6 =61.26 
ｒ12=   -18.3807            ｄ12= （可変）  
ｒ13=     5.5347（非球面）  ｄ13=  2.9473   ｎd7 =1.48749 νd7 =70.23 
ｒ14=  -102.8346            ｄ14=  0.1500   
ｒ15=    68.5128            ｄ15=  3.4582   ｎd8 =1.84666 νd8 =23.78 
ｒ16=     5.6774            ｄ16=  2.1376   
ｒ17=     7.8453            ｄ17=  2.3148   ｎd9 =1.60542 νd9 =45.99 
ｒ18=   -12.6010            ｄ18=  0.5441   
ｒ19=    -6.0465            ｄ19=  0.7255   ｎd10=1.61800 νd10=63.33 
ｒ20=   -17.9513            ｄ20= （可変）  
ｒ21=   -17.2238（非球面）  ｄ21=  1.4117   ｎd11=1.58913 νd11=61.26 
ｒ22=    -9.8048            ｄ22=  0.5599   
ｒ23=     ∞                ｄ23=  0.8000   ｎd12=1.51633 νd12=64.14 
ｒ24=     ∞                ｄ24=  1.8000   ｎd13=1.54771 νd13=62.84 
ｒ25=     ∞                ｄ25=  0.5000   
ｒ26=     ∞                ｄ26=  0.5000   ｎd14=1.51633 νd14=64.14 
ｒ27=     ∞                ｄ27=  1.3641   
ｒ28=     ∞（像面）        
非球面係数
第８面
Ｋ = 1.5876 
A4 = 2.6616 ×10-4
A6 = 3.3939 ×10-6
A8 =-1.0023 ×10-7
A10= 0
第１３面
Ｋ = 0
A4 =-2.7230 ×10-4
A6 =-5.7432 ×10-6
A8 =-3.4301 ×10-7
A10= 0
第２１面
Ｋ = 0
A4 =-8.9975 ×10-4
A6 =-1.8358 ×10-5
A8 = 1.4143 ×10-6
A10= 0
ズームデータ（∞）
ＷＥ            ＳＴ            ＴＥ
ｆ (mm)             4.60758         7.85021        13.40785 
ＦNO                2.8000          3.4489          4.6187
２ω (°)          65.3            39.0            22.9   
ｄ9                14.75212         6.67783         2.00000 
ｄ12                0.67500         4.26744         1.54139 
ｄ20                1.35767         6.03580        13.51290                 。
【０１０８】
実施例４
ｒ1 =    29.0184            ｄ1 =  0.7437   ｎd1 =1.80400 νd1 =46.57 
ｒ2 =     7.3275            ｄ2 =  1.3049   
ｒ3 =     ∞                ｄ3 =  4.0000   ｎd2 =1.80400 νd2 =46.57 
ｒ4 =     ∞（反射面）      ｄ4 =  3.5133   ｎd3 =1.80400 νd3 =46.57 
ｒ5 =     ∞                ｄ5 =  0.3000   
ｒ6 =   -31.2038            ｄ6 =  0.7673   ｎd4 =1.80400 νd4 =46.57 
ｒ7 =    15.2085            ｄ7 =  1.5760   
ｒ8 =    33.1818（非球面）  ｄ8 =  1.5628   ｎd5 =1.84666 νd5 =23.78 
ｒ9 =   -29.4113            ｄ9 = （可変）  
ｒ10=     ∞（絞り）        ｄ10=  0.5000   
ｒ11=    20.3172（非球面）  ｄ11=  1.9876   ｎd6 =1.58913 νd6 =61.26 
ｒ12=   -14.3558            ｄ12=  0.1387   
ｒ13=     7.0863            ｄ13=  2.5021   ｎd7 =1.48749 νd7 =70.23 
ｒ14=  -521.1337            ｄ14=  0.0001   
ｒ15=   217.6721            ｄ15=  5.9501   ｎd8 =1.84666 νd8 =23.78 
ｒ16=     4.5340            ｄ16= （可変）  
ｒ17=    10.1062            ｄ17=  1.8686   ｎd9 =1.60300 νd9 =65.44 
ｒ18=    46.5940            ｄ18= （可変）  
ｒ19=   -22.5387（非球面）  ｄ19=  2.3721   ｎd10=1.58913 νd10=61.26 
ｒ20=    -5.8538            ｄ20=  0.4297   
ｒ21=     ∞                ｄ21=  0.8000   ｎd11=1.51633 νd11=64.14 
ｒ22=     ∞                ｄ22=  0.8000   ｎd12=1.54771 νd12=62.84 
ｒ23=     ∞                ｄ23=  0.5000   
ｒ24=     ∞                ｄ24=  0.5000   ｎd13=1.51633 νd13=64.14 
ｒ25=     ∞                ｄ25=  1.3824   
ｒ27=     ∞（像面）        
非球面係数
第８面
Ｋ = 1.9221 
A4 = 1.0674 ×10-4
A6 = 7.5509 ×10-7
A8 =-6.9692 ×10-8
A10= 0
第１１面
Ｋ = 0
A4 =-1.4582 ×10-4
A6 = 4.2034 ×10-8
A8 = 1.1204 ×10-8
A10= 0
第１９面
Ｋ = 0
A4 =-1.8514 ×10-3
A6 = 6.5803 ×10-6
A8 =-9.0686 ×10-7
A10= 0
ズームデータ（∞）
ＷＥ            ＳＴ            ＴＥ
ｆ (mm)             4.65117         7.85007        13.29161 
ＦNO                2.5000          3.4944          4.8337
２ω (°)          68.4            41.7            24.7   
ｄ9                13.35295         7.17214         2.00000 
ｄ16                1.22323         4.89168         2.01917 
ｄ18                0.94992         3.89804        12.56077                 。
【０１０９】
実施例５
ｒ1 =    15.9959            ｄ1 =  2.0000   ｎd1 =1.84666 νd1 =23.78 
ｒ2 =    17.9366（非球面）  ｄ2 =  0.8000   
ｒ3 =   122.3665            ｄ3 =  1.0000   ｎd2 =1.72916 νd2 =54.68 
ｒ4 =     6.1500            ｄ4 =  1.9000   
ｒ5 =     ∞                ｄ5 =  4.1000   ｎd3 =1.56883 νd3 =56.36 
ｒ6 =     ∞（反射面）      ｄ6 =  3.9000   ｎd4 =1.56883 νd4 =56.36 
ｒ7 =     ∞                ｄ7 = （可変）  
ｒ8 =     ∞（絞り）        ｄ8 =  0.5928   
ｒ9 =    14.1418（非球面）  ｄ9 =  3.0000   ｎd5 =1.80610 νd5 =40.92 
ｒ10=  -138.1914            ｄ10= （可変）  
ｒ11=     9.2691            ｄ11=  3.2000   ｎd6 =1.48749 νd6 =70.23 
ｒ12=   -18.4588            ｄ12=  1.0064   ｎd7 =1.84666 νd7 =23.78 
ｒ13=     7.4386            ｄ13=  0.5000   
ｒ14=     9.1725            ｄ14=  2.4000   ｎd8 =1.80518 νd8 =25.42 
ｒ15=   -16.4170            ｄ15= （可変）  
ｒ16=    44.6119            ｄ16=  0.8000   ｎd9 =1.84666 νd9 =23.78 
ｒ17=     8.9511（非球面）  ｄ17= （可変）  
ｒ18=    11.2550            ｄ18=  2.6000   ｎd10=1.58913 νd10=61.26 
ｒ19=   673.2282（非球面）  ｄ19= （可変）  
ｒ20=     ∞                ｄ20=  1.5000   ｎd11=1.51633 νd11=64.14 
ｒ21=     ∞                ｄ21=  1.4400   ｎd12=1.54771 νd12=62.84 
ｒ22=     ∞                ｄ22=  0.8000   
ｒ23=     ∞                ｄ23=  0.8000   ｎd13=1.51633 νd13=64.14 
ｒ24=     ∞                ｄ24=  1.0000   
ｒ25=     ∞（像面）        
非球面係数
第２面
Ｋ = 0
A4 =-2.1855 ×10-4
A6 = 3.4923 ×10-7
A8 = 0
A10= 0
第９面
Ｋ = 5.1530 
A4 =-2.4340 ×10-4
A6 =-7.4872 ×10-6
A8 = 2.0515 ×10-7
A10=-1.0188 ×10-8
第１７面
Ｋ =-3.7152 
A4 = 1.2209 ×10-3
A6 =-1.7576 ×10-5
A8 = 2.5810 ×10-6
A10=-1.2193 ×10-7
第１９面
Ｋ = 1.4583 
A4 =-1.5578 ×10-4
A6 =-1.1072 ×10-5
A8 = 5.6481 ×10-7
A10=-8.6742 ×10-9
ズームデータ（∞）
ＷＥ            ＳＴ            ＴＥ
ｆ (mm)             5.43000        10.61200        15.80000 
ＦNO                2.7116          3.7726          4.5293
２ω (°)          63.5            35.7            24.5   
ｄ7                13.12435         4.47821         0.50000 
ｄ10                0.81880         1.71785         0.50000 
ｄ15                0.60000         2.00387         4.09707 
ｄ17                1.40000         8.20925        11.93740 
ｄ19                2.71758         2.25155         1.62627                 。
【０１１０】
実施例６
ｒ1 =    49.3427            ｄ1 =  2.0000   ｎd1 =1.84666 νd1 =23.78 
ｒ2 =  -115.4656            ｄ2 =  0.4000   
ｒ3 =   -52.5304（非球面）  ｄ3 =  1.0000   ｎd2 =1.69350 νd2 =53.21 
ｒ4 =     5.8428            ｄ4 =  1.8000   
ｒ5 =     ∞                ｄ5 =  4.0000   ｎd3 =1.56883 νd3 =56.36 
ｒ6 =     ∞（反射面）      ｄ6 =  3.8000   ｎd4 =1.56883 νd4 =56.36 
ｒ7 =     ∞                ｄ7 = （可変）  
ｒ8 =     ∞（絞り）        ｄ8 =  0.6000   
ｒ9 =     8.0295（非球面）  ｄ9 =  2.8000   ｎd5 =1.69350 νd5 =53.21 
ｒ10=    -5.9145            ｄ10=  0.8000   ｎd6 =1.80440 νd6 =39.59 
ｒ11=   -12.3640            ｄ11= （可変）  
ｒ12=    26.8805            ｄ12=  0.8000   ｎd7 =1.84666 νd7 =23.78 
ｒ13=     7.1849（非球面）  ｄ13= （可変）  
ｒ14=    10.7803            ｄ14=  3.1000   ｎd8 =1.48749 νd8 =70.23 
ｒ15=   -52.9481            ｄ15= （可変）  
ｒ16=     ∞                ｄ16=  1.5000   ｎd9 =1.51633 νd9 =64.14 
ｒ17=     ∞                ｄ17=  1.4400   ｎd10=1.54771 νd10=62.84 
ｒ18=     ∞                ｄ18=  0.8000   
ｒ19=     ∞                ｄ19=  0.8000   ｎd11=1.51633 νd11=64.14 
ｒ20=     ∞                ｄ20=  1.0000   
ｒ21=     ∞（像面）        
非球面係数
第３面
Ｋ = 0
A4 = 2.6048 ×10-4
A6 =-3.2365 ×10-6
A8 = 2.2913 ×10-8
A10= 0
第９面
Ｋ = 0
A4 =-3.0615 ×10-4
A6 =-2.0330 ×10-6
A8 =-1.0403 ×10-7
A10= 0
第１３面
Ｋ =-3.5241 
A4 = 1.8328 ×10-3
A6 =-1.6164 ×10-5
A8 = 3.5495 ×10-6
A10=-1.2410 ×10-7
ズームデータ（∞）
ＷＥ            ＳＴ            ＴＥ
ｆ (mm)             5.38001         8.50001        13.45001 
ＦNO                3.0358          3.8702          4.5606
２ω (°)          65.8            43.8            28.4   
ｄ7                11.53527         6.15290         0.50000 
ｄ11                2.10162         2.49863         3.68430 
ｄ13                3.96820         9.09478        10.56416 
ｄ15                1.75491         1.61369         4.61155                 。
【０１１１】
実施例７
ｒ1 =    21.0760            ｄ1 =  1.4000   ｎd1 =1.74320 νd1 =49.34 
ｒ2 =     7.9352（非球面）  ｄ2 =  2.8000   
ｒ3 =     ∞                ｄ3 =  6.5000   ｎd2 =1.56883 νd2 =56.36 
ｒ4 =     ∞（反射面）      ｄ4 =  6.0000   ｎd3 =1.56883 νd3 =56.36 
ｒ5 =     ∞                ｄ5 =  0.8000   
ｒ6 =   -18.8610            ｄ6 =  0.8000   ｎd4 =1.72916 νd4 =54.68 
ｒ7 =    29.7460            ｄ7 =  0.5273   
ｒ8 =    25.1850            ｄ8 =  1.9000   ｎd5 =1.84666 νd5 =23.78 
ｒ9 =  -121.8149            ｄ9 = （可変）  
ｒ10=     ∞（絞り）        ｄ10=  0.8000   
ｒ11=    11.8772（非球面）  ｄ11=  1.9992   ｎd6 =1.49700 νd6 =81.54 
ｒ12=   -22.2117            ｄ12=  0.3000   
ｒ13=     8.0295            ｄ13=  1.9997   ｎd7 =1.48749 νd7 =70.23 
ｒ14=   -16.2855            ｄ14=  0.7997   ｎd8 =1.64769 νd8 =33.79 
ｒ15=   -52.6732            ｄ15=  0.3000   
ｒ16=     7.3242            ｄ16=  1.3308   ｎd9 =1.84666 νd9 =23.78 
ｒ17=     4.4772            ｄ17=  1.2000   
ｒ18=    17.2769            ｄ18=  1.1317   ｎd10=1.80610 νd10=40.92 
ｒ19=     6.2199            ｄ19= （可変）  
ｒ20=     9.0812            ｄ20=  2.0000   ｎd11=1.61800 νd11=63.33 
ｒ21=    19.8406            ｄ21= （可変）  
ｒ22=   -34.2139（非球面）  ｄ22=  2.0000   ｎd12=1.58313 νd12=59.38 
ｒ23=    -9.7728            ｄ23=  1.0032   
ｒ24=     ∞                ｄ25=  1.4400   ｎd13=1.54771 νd13=62.84 
ｒ25=     ∞                ｄ26=  0.8000   
ｒ26=     ∞                ｄ27=  0.8000   ｎd14=1.51633 νd14=64.14 
ｒ27=     ∞                ｄ28=  1.0003   
ｒ28=     ∞（像面）        
非球面係数
第２面
Ｋ = 0
A4 =-9.3483 ×10-5
A6 = 1.4787 ×10-7
A8 =-4.5620 ×10-8
A10= 0
第１１面
Ｋ = 0
A4 =-2.6863 ×10-4
A6 =-1.0879 ×10-7
A8 = 3.8711 ×10-9
A10= 0
第２２面
Ｋ = 0
A4 =-4.8081 ×10-4
A6 = 5.9535 ×10-6
A8 =-1.6767 ×10-7
A10= 0
ズームデータ（∞）
ＷＥ            ＳＴ            ＴＥ
ｆ (mm)             5.80000         9.17005        14.49992 
ＦNO                2.6880          3.4974          4.5402
２ω (°)          60.8            40.1            25.4   
ｄ9                14.10553         7.78994         2.48873 
ｄ19                1.54225         5.16705         2.56297 
ｄ21                2.32790         5.01801        12.92472                 。
【０１１２】
実施例８
ｒ1 =    16.1825（非球面）  ｄ1 =  1.4000   ｎd1 =1.80610 νd1 =40.92 
ｒ2 =     7.3872            ｄ2 =  3.5000   
ｒ3 =     ∞                ｄ3 =  6.5000   ｎd2 =1.60311 νd2 =60.64 
ｒ4 =     ∞（反射面）      ｄ4 =  6.0000   ｎd3 =1.60311 νd3 =60.64 
ｒ5 =     ∞                ｄ5 =  0.7950   
ｒ6 =   -27.1461            ｄ6 =  0.8000   ｎd4 =1.72916 νd4 =54.68 
ｒ7 =    20.2982            ｄ7 =  0.5273   
ｒ8 =    17.2255            ｄ8 =  1.9000   ｎd5 =1.84666 νd5 =23.78 
ｒ9 =    90.2451            ｄ9 = （可変）  
ｒ10=     ∞（絞り）        ｄ10=  0.8000   
ｒ11=    17.0416（非球面）  ｄ11=  1.9965   ｎd6 =1.56384 νd6 =60.67 
ｒ12=   -13.7245            ｄ12=  0.5000   
ｒ13=     5.5039            ｄ13=  3.7857   ｎd7 =1.48749 νd7 =70.23 
ｒ14=   -38.8943            ｄ14=  0.8000   ｎd8 =1.69895 νd8 =30.13 
ｒ15=     4.2611            ｄ15= （可変）  
ｒ16=    16.8715            ｄ16=  2.0000   ｎd9 =1.48749 νd9 =70.23 
ｒ17=    96.4706            ｄ17= （可変）  
ｒ18=   -60.1937            ｄ18=  2.0000   ｎd10=1.56384 νd10=60.67 
ｒ19=   -11.5463（非球面）  ｄ19=  1.0039   
ｒ20=     ∞                ｄ20=  1.4400   ｎd11=1.54771 νd11=62.84 
ｒ21=     ∞                ｄ21=  0.8000   
ｒ22=     ∞                ｄ22=  0.8000   ｎd12=1.51633 νd12=64.14 
ｒ23=     ∞                ｄ23=  1.0021   
ｒ24=     ∞（像面）        
非球面係数
第１面
Ｋ = 0
A4 = 5.1308 ×10-5
A6 = 2.3428 ×10-7
A8 =-3.7916 ×10-9
A10= 7.2819 ×10-11 
第１１面
Ｋ = 0
A4 =-1.6960 ×10-4
A6 =-1.0587 ×10-6
A8 = 5.6885 ×10-8
A10=-2.0816 ×10-10 
第１９面
Ｋ = 0
A4 = 2.9238 ×10-4
A6 =-1.4179 ×10-5
A8 = 6.7945 ×10-7
A10=-1.6439 ×10-8
ズームデータ（∞）
ＷＥ            ＳＴ            ＴＥ
ｆ (mm)             5.80001         9.17026        14.49938 
ＦNO                2.6926          3.5230          4.5194
２ω (°)          61.1            40.1            25.7   
ｄ9                14.09978         8.00554         2.48873 
ｄ15                2.47558         7.50212         3.24411 
ｄ17                3.07729         4.13993        13.92316                 。
【０１１３】
実施例９
ｒ1 =    21.2658            ｄ1 =  1.0000   ｎd1 =1.74100 νd1 =52.64 
ｒ2 =     8.6245            ｄ2 =  3.3711   
ｒ3 =     ∞                ｄ3 =  5.8400   ｎd2 =1.80400 νd2 =46.57 
ｒ4 =     ∞（反射面）      ｄ4 =  5.4952   ｎd3 =1.80400 νd3 =46.57 
ｒ5 =     ∞                ｄ5 =  0.3221   
ｒ6 =   300.0000            ｄ6 =  1.0000   ｎd4 =1.74320 νd4 =49.34 
ｒ7 =    15.3314（非球面）  ｄ7 =  0.5979   
ｒ8 =    15.8974            ｄ8 =  1.4903   ｎd5 =1.84666 νd5 =23.78 
ｒ9 =    43.0822            ｄ9 = （可変）  
ｒ10=     ∞（絞り）        ｄ10=  0.6000   
ｒ11=    63.9771            ｄ11=  1.3913   ｎd6 =1.61800 νd6 =63.33 
ｒ12=   -23.2380            ｄ12= （可変）  
ｒ13=     7.9674（非球面）  ｄ13=  2.3478   ｎd7 =1.48749 νd7 =70.23 
ｒ14=   -68.3182            ｄ14=  0.1000   
ｒ15=    24.3652            ｄ15=  3.3012   ｎd8 =1.84666 νd8 =23.78 
ｒ16=     7.7880            ｄ16=  0.2484   
ｒ17=     9.2912            ｄ17=  2.1349   ｎd9 =1.72916 νd9 =54.68 
ｒ18=   -19.4929            ｄ18=  0.7000   ｎd10=1.53172 νd10=48.84 
ｒ19=     5.2999            ｄ19= （可変）  
ｒ20=   -22.5496（非球面）  ｄ20=  2.5068   ｎd11=1.58913 νd11=61.14 
ｒ21=    -6.5395            ｄ21=  1.0000   
ｒ22=     ∞                ｄ22=  1.5000   ｎd12=1.51633 νd12=64.14 
ｒ23=     ∞                ｄ23=  1.4400   ｎd13=1.54771 νd13=62.84 
ｒ24=     ∞                ｄ24=  0.8000   
ｒ25=     ∞                ｄ25=  0.8000   ｎd14=1.51633 νd14=64.14 
ｒ26=     ∞                ｄ26=  1.0894   
ｒ27=     ∞（像面）        
非球面係数
第７面
Ｋ = 0
A4 =-6.9423 ×10-5
A6 = 1.9216 ×10-7
A8 =-2.3395 ×10-8
A10= 0
第１３面
Ｋ = 0
A4 =-2.1881 ×10-4
A6 =-2.0288 ×10-6
A8 = 7.6472 ×10-10 
A10= 0
第２０面
Ｋ = 0
A4 =-1.0095 ×10-3
A6 = 3.4022 ×10-8
A8 =-1.7165 ×10-7
A10= 0
ズームデータ（∞）
ＷＥ            ＳＴ            ＴＥ
ｆ (mm)             5.52179         7.96811        15.98093 
ＦNO                2.4770          2.9873          4.5000
２ω (°)          64.5            44.7            22.7   
ｄ9                17.73448        10.81643         2.00000 
ｄ12                1.20000         3.80000         3.50000 
ｄ19                2.60300         5.58623        15.86209                 。
【０１１４】
実施例１０
ｒ1 =    24.8917            ｄ1 =  1.0000   ｎd1 =1.74100 νd1 =52.64 
ｒ2 =     8.0792            ｄ2 =  2.3760   
ｒ3 =     ∞                ｄ3 =  5.2400   ｎd2 =1.80400 νd2 =46.57 
ｒ4 =     ∞（反射面）      ｄ4 =  5.0006   ｎd3 =1.80400 νd3 =46.57 
ｒ5 =     ∞                ｄ5 =  0.2922   
ｒ6 =   300.0000            ｄ6 =  1.0000   ｎd4 =1.74320 νd4 =49.34 
ｒ7 =    14.5213（非球面）  ｄ7 =  0.1000   
ｒ8 =    14.5896            ｄ8 =  1.7517   ｎd5 =1.84666 νd5 =23.78 
ｒ9 =    64.9869            ｄ9 = （可変）  
ｒ10=     ∞（絞り）        ｄ10=  0.6000   
ｒ11=    33.4595            ｄ11=  1.8985   ｎd6 =1.61800 νd6 =63.33 
ｒ12=   -11.1499            ｄ12=  0.7000   ｎd7 =1.80518 νd7 =25.42 
ｒ13=   -20.0542            ｄ13= （可変）  
ｒ14=    10.2987（非球面）  ｄ14=  2.0299   ｎd8 =1.48749 νd8 =70.23 
ｒ15= 18890.0000            ｄ15=  0.1000   
ｒ16=    19.8062            ｄ16=  4.5045   ｎd9 =1.84666 νd9 =23.78 
ｒ17=     9.7836            ｄ17=  0.2000   
ｒ18=    11.2175            ｄ18=  1.7598   ｎd10=1.72916 νd10=54.68 
ｒ19=   -51.5183            ｄ19=  0.7000   ｎd11=1.53172 νd11=48.84 
ｒ20=     5.5430            ｄ20= （可変）  
ｒ21=   -23.0137（非球面）  ｄ21=  1.9685   ｎd12=1.58913 νd12=61.14 
ｒ22=    -7.0933            ｄ22=  1.0000   
ｒ23=     ∞                ｄ23=  1.5000   ｎd13=1.51633 νd13=64.14 
ｒ24=     ∞                ｄ24=  1.4400   ｎd14=1.54771 νd14=62.84 
ｒ25=     ∞                ｄ15=  0.8000   
ｒ26=     ∞                ｄ16=  0.8000   ｎd15=1.51633 νd15=64.14 
ｒ27=     ∞                ｄ17=  1.0106   
ｒ28=     ∞（像面）        
非球面係数
第７面
Ｋ = 0
A4 =-8.0580 ×10-5
A6 = 7.6927 ×10-7
A8 =-2.7173 ×10-8
A10= 0
第１４面
Ｋ = 0
A4 =-1.1033 ×10-4
A6 =-1.4285 ×10-8
A8 =-1.8629 ×10-8
A10= 0
第２１面
Ｋ = 0
A4 =-8.5891 ×10-4
A6 = 1.0215 ×10-5
A8 =-3.2143 ×10-7
A10= 0
ズームデータ（∞）
ＷＥ            ＳＴ            ＴＥ
ｆ (mm)             5.86879         9.99877        17.39648 
ＦNO                2.4340          3.2140          4.5000
２ω (°)          61.4            35.8            21.0   
ｄ9                17.88781         8.41716         2.00000 
ｄ13                1.20000         6.81663         3.50000 
ｄ20                3.14136         7.01231        16.74709                 。
【０１１５】
実施例１１
ｒ1 =    41.9739            ｄ1 =  1.2000   ｎd1 =1.77250 νd1 =49.60 
ｒ2 =    11.1642            ｄ2 =  2.9000   
ｒ3 =     ∞                ｄ3 =  6.5000   ｎd2 =1.78590 νd2 =44.20 
ｒ4 =     ∞（反射面）      ｄ4 =  6.0000   ｎd3 =1.78590 νd3 =44.20 
ｒ5 =     ∞                ｄ5 =  0.3971   
ｒ6 =    28.0000            ｄ6 =  1.2000   ｎd4 =1.74330 νd4 =49.33 
ｒ7 =    11.3578（非球面）  ｄ7 =  0.3457   
ｒ8 =     9.4845            ｄ8 =  1.7925   ｎd5 =1.84666 νd5 =23.78 
ｒ9 =    14.2959            ｄ9 = （可変）  
ｒ10=     ∞（絞り）        ｄ10=  1.0000   
ｒ11=    47.8757            ｄ11=  1.9600   ｎd6 =1.72916 νd6 =54.68 
ｒ12=    -9.0806            ｄ12=  0.7000   ｎd7 =1.72825 νd7 =28.46 
ｒ13=   -25.4395            ｄ13= （可変）  
ｒ14=     9.1761（非球面）  ｄ14=  1.9500   ｎd8 =1.74330 νd8 =49.33 
ｒ15=    75.3616            ｄ15=  0.8461   
ｒ16=    24.3002            ｄ16=  3.8969   ｎd9 =1.74330 νd9 =49.33 
ｒ17=     ∞                ｄ17=  1.0000   ｎd10=1.72825 νd10=28.46 
ｒ18=     4.8249            ｄ18= （可変）  
ｒ19=    49.5382            ｄ19=  2.7500   ｎd11=1.69350 νd11=53.20 
ｒ20=   -10.0407（非球面）  ｄ20=  0.8269   
ｒ21=     ∞                ｄ21=  1.4400   ｎd12=1.54771 νd12=62.84 
ｒ22=     ∞                ｄ22=  0.8000   
ｒ23=     ∞                ｄ23=  0.8000   ｎd13=1.51633 νd13=64.14 
ｒ24=     ∞                ｄ24=  1.0447   
ｒ25=     ∞（像面）        
非球面係数
第７面
Ｋ = 0
A4 = 2.2504 ×10-5
A6 = 2.6875 ×10-6
A8 =-1.2962 ×10-7
A10= 2.8718 ×10-9
第１４面
Ｋ = 0
A4 =-9.8664 ×10-5
A6 = 4.0400 ×10-6
A8 =-4.4986 ×10-7
A10= 1.3851 ×10-8
第２０面
Ｋ = 0
A4 = 5.3089 ×10-4
A6 =-1.6198 ×10-5
A8 = 4.4581 ×10-7
A10=-4.9080 ×10-9
ズームデータ（∞）
ＷＥ            ＳＴ            ＴＥ
ｆ (mm)             6.02622         9.31725        14.28897 
ＦNO                2.7652          3.4888          4.5271
２ω (°)          62.4            42.8            28.7   
ｄ9                14.24100         6.97804         2.00694 
ｄ13                2.10000         6.51339         5.34809 
ｄ18                2.46549         5.31403        11.45279                 。
【０１１６】
実施例１２
ｒ1 =   -14.2761（非球面）  ｄ1 =  5.1000   ｎd1 =1.50913 νd1 =56.20 
ｒ2 =     ∞（反射面）      ｄ2 =  5.7941   ｎd2 =1.50913 νd2 =56.20 
ｒ3 =     ∞                ｄ3 =  2.1000   
ｒ4 =    -6.4892            ｄ4 =  0.8000   ｎd3 =1.64000 νd3 =60.07 
ｒ5 =   -84.1654            ｄ5 =  1.1935   ｎd4 =1.84666 νd4 =23.78 
ｒ6 =   -16.8306            ｄ6 = （可変）  
ｒ7 =     ∞（絞り）        ｄ7 =  0.4000   
ｒ8 =    34.9225（非球面）  ｄ8 =  1.4006   ｎd5 =1.74330 νd5 =49.33 
ｒ9 =   -15.2934            ｄ9 =  0.1500   
ｒ10=     6.1210            ｄ10=  3.3481   ｎd6 =1.61800 νd6 =63.33 
ｒ11=    27.4556            ｄ11=  0.8000   ｎd7 =1.84666 νd7 =23.78 
ｒ12=     4.9467            ｄ12= （可変）  
ｒ13=    13.6380            ｄ13=  1.4415   ｎd8 =1.51633 νd8 =64.14 
ｒ14=  -143.7586            ｄ14= （可変）  
ｒ15=   -19.5436            ｄ15=  1.3641   ｎd9 =1.58913 νd9 =61.25 
ｒ16=    -7.1346（非球面）  ｄ16=  0.8000   
ｒ17=     ∞                ｄ17=  1.0500   ｎd10=1.54771 νd10=62.84 
ｒ18=     ∞                ｄ18=  0.8000   
ｒ19=     ∞                ｄ19=  0.8000   ｎd11=1.51633 νd11=64.14 
ｒ20=     ∞                ｄ20=  0.9669   
ｒ21=     ∞（像面）        
非球面係数
第１面
Ｋ = 0
A4 = 3.2165 ×10-4
A6 =-9.1756 ×10-7
A8 = 4.1788 ×10-9
A10= 0.0000 
第８面
Ｋ = 0
A4 =-1.2083 ×10-4
A6 = 1.1516 ×10-7
A8 =-2.9381 ×10-8
A10= 0.0000 
第１６面
Ｋ = 0
A4 = 1.3137 ×10-3
A6 =-2.0878 ×10-5
A8 = 4.9397 ×10-7
A10= 0.0000 
ズームデータ（∞）
ＷＥ            ＳＴ            ＴＥ
ｆ (mm)             5.02898         8.69474        14.52092 
ＦNO                2.6544          3.5217          4.5079
２ω (°)          64.8            38.2            22.6   
ｄ6                14.61860         7.39251         1.80000 
ｄ12                3.75585         8.20107         4.39975 
ｄ14                3.16733         5.96897        15.38987                 。
【０１１７】
以上の実施例１、１２の無限遠物点合焦時の収差図をそれぞれ図１３、図１４に示す。これらの収差図において、（ａ）は広角端、（ｂ）は中間状態、（ｃ）は望遠端における球面収差ＳＡ、非点収差ＡＳ、歪曲収差ＤＴ、倍率色収差ＣＣを示す。
【０１１８】
次に、上記各実施例における条件（ａ）〜（ｆ）に係わるＬ、ｄ／Ｌ、ＤFT／ｆT   Ｍ3 ／Ｍ2 ｆ11／ｆ12  βRt、ａ、ｔLPF の値を示す。
【０１１９】
実施例      Ｌ      ｄ／Ｌ      ＤFT／ｆT     Ｍ3 ／Ｍ2   ｆ11／ｆ12 
１        5.6     0.72088      0.78471       1.19347     -0.12343   
２        6.0     0.79009      0.76004       0.53348     -0.32094   
３        5.6     0.71748      0.11496       0.93206      0.36284   
４        6.0     0.69413      0.15191       0.92989      0.20195   
５        6.64    0.76797      0.25931      第３群は負    0         
６        6.64    0.74877      0.27393      第３群は負    0         
７        6.64    1.19996      0.17676       0.91213      0.37232   
８        6.64    1.17430      0.22374       0.93381      0.39484   
９        6.64    0.94629      0.21901       0.85382      0.22917   
１０        6.64    0.85491      0.20119       0.85523      0.05553   
１１        6.64    0.94867      0.37452       0.73366      0.09671   
１２        6.0     1.20313      0.30301       0.95350      1.26698   
。
【０１２０】
実施例        βRt    ａ      ｔLPF 
１      -1.6884     3.0      1.80 
２      -1.19598    3.0      1.80 
３      -1.49396    3.0      1.80 
４      -1.26884    3.0      0.80 
５      -1.51672    3.0      1.55 
６      -1.38530    3.0      1.44 
７      -1.26560    3.0      1.44 
８      -1.30121    3.0      1.44 
９      -1.05735    3.0      1.44 
１０      -1.14882    3.0      1.44 
１１      -0.86588    3.0      1.44 
１１      -1.36309    2.5      1.20                                         。
【０１２１】
次に、本発明の光路折り曲げズーム光学系の沈胴方式の例について説明する。図１５は、具体的に図９の光路折り曲げズーム光学系（実施例９）に適用した例であり、図１５（ｂ）は実施例９の光路折り曲げズーム光学系が広角端にある状態（図９（ｃ））の光路折り曲げ光軸を含む断面図であり、この状態において、第１−２群Ｇ１−２と第２群Ｇ２の間の空間に、第２群Ｇ２の２枚のレンズと第１−１群Ｇ１−１の光路折り曲げプリズムＰを退避させ、空いた空間に第１−１群Ｇ１−１の光路折り曲げプリズムＰより前の負メニスカスレンズＬ１を沈胴させて、この光路折り曲げズーム光学系に入射する光軸方向（カメラの奥行き方向）の厚さを薄くしている。なお、第２群Ｇ２より像面Ｉ側に空間がある場合には、光路折り曲げプリズムＰと第１−２群Ｇ１−２だけでなく、第２群Ｇ２等を含めて像面Ｉ側に退避させるようにしてもよい。
【０１２２】
図１６は、光路折り曲げ用の反射光学素子をミラーＭで構成した場合の１つの沈胴方式の概念図であり、ミラーＭを破線の位置に倒し、かつ、そのミラーＭよりも像面Ｉ側のレンズＬ２、Ｌ３も破線の位置に倒して、この光路折り曲げズーム光学系に入射する光軸方向（カメラの奥行き方向）の厚さを薄くするようにしている。
【０１２３】
図１７は、光路折り曲げ用の反射光学素子をミラーＭで構成した場合の別の沈胴方式の概念図であり、ミラーＭを破線の位置に倒し、空いた空間にそのミラーＭよりも物体側のレンズ群ＬＧを沈胴させて、同様に厚さを薄くしている。なお、ミラーＭを倒すのではなく、図１５のように、折り曲げ後の光軸に沿って退避させるようにしてもよい。
【０１２４】
図１８は、光路折り曲げ用の反射光学素子を液体プリズムあるいは変形可能なプリズムＬＰで構成し（図１８（ａ））、収納時に液体を抜く等して図１８（ｂ）のようにつぶして薄くすることもでき、その空いた空間にプリズムＬＰよりも物体側のレンズ群を沈胴させるなり（図１７）、他のレンズを倒すなり（図１６）して同様に厚さを薄くすることもできる。
【０１２５】
また、本発明の光路折り曲げズーム光学系において、光路折り曲げ用の反射光学素子を形状可変ミラーで構成することもできる。形状可変ミラーは、変形可能なフィルムに反射ミラーコーティングを施した反射ミラーであり、折り畳みあるいは巻き取りによって退避させることが可能である。
【０１２６】
また、光路折り曲げ用の反射光学素子を形状可変ミラーで構成する場合に、形状可変ミラーを変形させて合焦させるようにすることも可能である。図１９にその概念図を示す。近距離の物体に対しての合焦は、無限遠合焦時に平面の形状可変ミラーＤＭの反射面を図
示の矢印で示したように凹面に変えることにより、形状可変ミラーＤＭの面形状のみの変更で行っている。近距離合焦の際に、形状可変ミラーＤＭの面形状を反射面の有効面内で非球面形状とする。特に、反射面にパワーを持たせた場合、回転対称な反射面形状であると、その反射面に偏心して入射することによる偏心収差が発生する。そのため、形状可変ミラーＤＭの面形状を回転非対称な曲面とすることが望ましい。
【０１２７】
また、偏心により軸外において回転非対称な歪曲収差等が発生する。偏心により発生する面対称な偏心収差を補正するために、形状可変ミラーＤＭの面形状を、図２０に示すように、形状可変ミラーＤＭの反射面に入射し反射する光軸を含む平面を唯一の対称面とした面対称な曲面に変形することが望ましい。
【０１２８】
図１９の構成の場合、形状可変ミラーＤＭは無限遠合焦時に平面であるが、近距離物点への合焦時には、図２０に示すように、対称面を１面のみとする回転非対称非球面に変形することで、近距離合焦時における偏心収差を補正することができる。このような構成により、電子撮像装置全体の小型化と性能の維持が達成される。
【０１２９】
図２１は、形状可変ミラーＤＭの反射面を矢印方向にチルトすることにより手ブレ補正を行った例である。図１９の状態では手ブレを起こしていない場合であり、図２１は形状可変ミラーＤＭの反射面をチルトする手ブレ補正機能が働いた状態である。撮影方向に対して撮像装置が図２１のように下を向いた際には、図に示すように、形状可変ミラーＤＭの反射面の傾きを破線から実線位置へ変えることで、入射光軸が傾かないようになっている。その際に収差の変動を抑えるように、形状可変ミラーＤＭの面形状全体も変更することが望ましい。
【０１３０】
なお、本発明の光路折り曲げ用の反射光学素子の反射面にパワーを持たせ、その面形状を自由曲面等で構成してもよい。あるいは、反射光学素子の反射面をホログフィック光学素子（ＨＯＥ）で構成してもよい。
【０１３１】
また、その反射光学素子を実施例１〜１２のように光路折り曲げプリズムＰで構成する場合に、その光路折り曲げプリズムＰの前後に配置されるレンズとプリズムＰを接合するように構成してもよい。
【０１３２】
ところで、本発明の光路折り曲げズーム光学系を用いてデジタルカメラのような電子撮像装置を構成する場合に、光路折り曲げズーム光学系とＣＣＤのような電子撮像素子との間に、光路分割素子を配置して撮影光路をファインダー光路に分割するようにしてもよい。その例を図２２に示す。図２２は、デジタルカメラ４０の正面図であり、この場合の光路折り曲げズーム光学系は９０°光路を折り曲げる反射光学素子Ｍ１とその像面側に配置されているレンズ群ＬＡとからなり、像面に撮像素子のＣＣＤ４９が配置されている。そして、レンズ群ＬＡとＣＣＤ４９の間にハーフミラーのような光路分割素子Ｍ２が配置されており、反射光学素子Ｍ１での反射前後の光軸を含む平面に対し略垂直の側（図では上側）に光路が分割される。もちろん、光路分割素子Ｍ２はファインダー光路に光束を導くときのみ挿入される反射面であってもよい。光路分割素子Ｍ２で反射された光路は、別の反射面Ｍ３により、光路分割素子Ｍ２での反射前後の光軸を含む平面内で９０°折り曲げられ、さらに第４の反射面Ｍ４により９０°折り曲げられ、光軸が反射光学素子Ｍ１に入射する光軸と略平行に射出するようになっている。図２２では、接眼光学系は図示されていないが、第４の反射面Ｍ４の射出側あるいはその反射面Ｍ４を含んだ前後に接眼光学系が配置され、第４の反射面Ｍ４の射出側に位置する観察者の眼球によって被写体の観察像が観察される。
【０１３３】
ところで、実施例１〜１２のローパスフィルターＬＦは何れも３枚重ねで構成している
。もちろん、上述の実施例は、例えばローパスフィルターＬＦを１枚で構成する等、前記した構成の範囲内で種々変更可能である。
【０１３４】
以上の各実施例において、最終レンズ群の像側には、図示のように、近赤外カットフィルターＩＦ又は近赤外カットコート面ＩＣを入射面側に施したローパスフィルターＬＦを有している。この近赤外カットフィルターＩＦ、近赤外カットコート面ＩＣは、波長６００ｎｍでの透過率が８０％以上、波長７００ｎｍでの透過率が１０％以下となるように構成されている。具体的には、例えば次のような２７層の層構成からなる多層膜である。ただし、設計波長は７８０ｎｍである。
【０１３５】
基  板      材質        物理的膜厚（ｎｍ）      λ／４
───────────────────────────────
第１層    Ａｌ2 Ｏ3     ５８．９６              ０．５０
第２層    ＴｉＯ2       ８４．１９              １．００
第３層    ＳｉＯ2     １３４．１４              １．００
第４層    ＴｉＯ2       ８４．１９              １．００
第５層    ＳｉＯ2     １３４．１４              １．００
第６層    ＴｉＯ2       ８４．１９              １．００
第７層    ＳｉＯ2     １３４．１４              １．００
第８層    ＴｉＯ2       ８４．１９              １．００
第９層    ＳｉＯ2     １３４．１４              １．００
第10層    ＴｉＯ2       ８４．１９              １．００
第11層    ＳｉＯ2     １３４．１４              １．００
第12層    ＴｉＯ2       ８４．１９              １．００
第13層    ＳｉＯ2     １３４．１４              １．００
第14層    ＴｉＯ2       ８４．１９              １．００
第15層    ＳｉＯ2     １７８．４１              １．３３
第16層    ＴｉＯ2     １０１．０３              １．２１
第17層    ＳｉＯ2     １６７．６７              １．２５
第18層    ＴｉＯ2       ９６．８２              １．１５
第19層    ＳｉＯ2     １４７．５５              １．０５
第20層    ＴｉＯ2       ８４．１９              １．００
第21層    ＳｉＯ2     １６０．９７              １．２０
第22層    ＴｉＯ2       ８４．１９              １．００
第23層    ＳｉＯ2     １５４．２６              １．１５
第24層    ＴｉＯ2       ９５．１３              １．１３
第25層    ＳｉＯ2     １６０．９７              １．２０
第26層    ＴｉＯ2       ９９．３４              １．１８
第27層    ＳｉＯ2       ８７．１９              ０．６５
───────────────────────────────
空  気                                                                  。
【０１３６】
上記の近赤外シャープカットコートの透過率特性は図２３に示す通りである。  また、ローパスフィルターＬＦの射出面側には、図２４に示すような短波長域の色の透過を低滅する色フィルターを設けるか若しくはコーティングを行うことで、より一層電子画像の色再現性を高めている。
【０１３７】
具体的には、このフィルター若しくはコーティングにより、波長４００ｎｍ〜７００ｎｍで透過率が最も高い波長の透過率に対する４２０ｎｍの波長の透過率の比が１５％以上であり、その最も高い波長の透過率に対する４００ｎｍの波長の透過率の比が６％以下で
あることが好ましい。
【０１３８】
それにより、人間の目の色に対する認識と、撮像及び再生される画像の色とのずれを低減させることができる。言い換えると、人間の視覚では認識され難い短波長側の色が、人間の目で容易に認識されることによる画像の劣化を防止することができる。
【０１３９】
上記の４００ｎｍの波長の透過率の比が６％を越えると、人間の目では認識され難い単波長城が認識し得る波長に再生されてしまい、逆に、上記の４２０ｎｍの波長の透過率の比が１５％よりも小さいと、人間の認識し得る波長城の再生が低くなり、色のバランスが悪くなる。
【０１４０】
このような波長を制限する手段は、補色モザイクフィルターを用いた撮像系においてより効果を奏するものである。
【０１４１】
上記各実施例では、図２４に示すように、波長４００ｎｍにおける透過率を０％、４２０ｎｍにおける透過率を９０％、４４０ｎｍにて透過率のピーク１００％となるコーティングとしている。
【０１４２】
前記した近赤外シャープカットコートとの作用の掛け合わせにより、波長４５０ｎｍの透過率９９％をピークとして、４００ｎｍにおける透過率を０％、４２０ｎｍにおける透過率を８０％、６００ｎｍにおける透過率を８２％、７００ｎｍにおける透過率を２％としている。それにより、より忠実な色再現を行っている。
【０１４３】
また、ローパスフィルターＬＦは、像面上投影時の方位角度が水平（＝０°）と±４５°方向にそれぞれ結晶軸を有する３種類のフィルターを光軸方向に重ねて使用しており、それぞれについて、水平にａμｍ、±４５°方向にそれぞれSQRT(1/2) ×ａだけずらすことで、モアレ抑制を行っている。ここで、ＳＱＲＴは前記のようにスクエアルートであり平方根を意味する。
【０１４４】
また、ＣＣＤの撮像面Ｉ上には、図２５に示す通り、シアン、マゼンダ、イエロー、グリーン（緑）の４色の色フィルターを撮像画素に対応してモザイク状に設けた補色モザイクフィルターを設けている。これら４種類の色フィルターは、それぞれが略同じ数になるように、かつ、隣り合う画素が同じ種類の色フィルターに対応しないようにモザイク状に配置されている。それにより、より忠実な色再現が可能となる。
【０１４５】
補色モザイクフィルターは、具体的には、図２５に示すように少なくとも４種類の色フィルターから構成され、その４種類の色フィルターの特性は以下の通りであることが好ましい。
【０１４６】
グリーンの色フイルターＧは波長ＧP に分光強度のピークを有し、
イエローの色フィルターＹe は波長ＹP に分光強度のピークを有し、
シアンの色フィルターＣは波長ＣP に分光強度のピークを有し、
マゼンダの色フィルターＭは波長ＭP1とＭP2にピークを有し、以下の条件を満足する。
【０１４７】
５１０ｎｍ＜ＧP ＜５４０ｎｍ
５ｎｍ＜ＹP −ＧP ＜３５ｎｍ
−１００ｎｍ＜ＣP −ＧP ＜−５ｎｍ
４３０ｎｍ＜ＭP1＜４８０ｎｍ
５８０ｎｍ＜ＭP2＜６４０ｎｍ
さらに、グリーン、イエロー、シアンの色フィルターはそれぞれの分光強度のピークに
対して波長５３０ｎｍでは８０％以上の強度を有し、マゼンダの色フィルターはその分光強度のピークに対して波長５３０ｎｍでは１０％から５０％の強度を有することが、色再現性を高める上でより好ましい。
【０１４８】
上記各実施例におけるそれぞれの波長特性の一例を図２６に示す。グリーンの色フィルターＧは５２５ｎｍに分光強度のビークを有している。イエローの色フィルターＹe は５５５ｎｍに分光強度のピークを有している。シアンの色フイルターＣは５１０ｎｍに分光強度のピークを有している。マゼンダの色フィルターＭは４４５ｎｍと６２０ｎｍにピークを有している。また、５３０ｎｍにおける各色フィルターは、それぞれの分光強度のピークに対して、Ｇは９９％、Ｙe は９５％、Ｃは９７％、Ｍは３８％としている。
【０１４９】
このような補色フイルターの場合、図示しないコントローラー（若しくは、デジタルカメラに用いられるコントローラー）で、電気的に次のような信号処理を行い、
輝度信号
Ｙ＝｜Ｇ＋Ｍ＋Ｙe ＋Ｃ｜×１／４
色信号
Ｒ−Ｙ＝｜（Ｍ＋Ｙe ）−（Ｇ＋Ｃ）｜
Ｂ−Ｙ＝｜（Ｍ＋Ｃ）−（Ｇ＋Ｙe ）｜
の信号処理を経てＲ（赤）、Ｇ（緑）、Ｂ（青）の信号に変換される。
【０１５０】
ところで、上記した近赤外シャープカットコートの配置位置は、光路上のどの位置であってもよい。また、ローパスフィルターＬＦの枚数も前記した通り２枚でも１枚でも構わない。
【０１５１】
また、各実施例の明るさ絞りの部分についての詳細を図２７示す。ただし、この図は４群構成の場合であり、第１群Ｇ１（第１−１群Ｇ１−１＋第１−２群Ｇ１−２）における光路折り曲げプリズムＰは省いて図示してある。撮像光学系の第１群Ｇ１と第２群Ｇ２との間の光軸上の絞り位置に、０段、−１段、−２段、−３段、−４段の明るさ調節を可能とするターレット１０を配置している。ターレット１０には、０段の調整をする開口形状が直径約４ｍｍの円形で固定の空間からなる開口１Ａ（波長５５０ｎｍに対する透過率は１００％) と、−１段補正するために開口１Ａの開口面積の約半分の開口面積を有する開口形状が固定の透明な平行平板（波長５５０ｎｍに対する透過率は９９％）からなる開口１Ｂと、開口１Ｂと同じ面積の円形開口部を有し、−２段、−３段、−４段に補正するため、各々波長５５０ｎｍに対する透過率が５０％、２５％、１３％のＮＤフィルターが設けられた開口部１Ｃ、１Ｄ、１Ｅとを有している。
【０１５２】
そして、ターレット１０の回転軸１１の周りの回動により何れかの開口を絞り位置に配することで光量調節を行っている。
【０１５３】
また、実効ＦナンバーＦno' がＦno' ＞ａ／０．４μｍとなるときに、開口内に波長５５０ｎｍに対する透過率が８０％未満のＮＤフィルターが配される構成としている。具体的には、実施例１では、望遠端の実効Ｆ値が上記式を満たすのは、絞り開放時（０段）に対して−２段とした実行Ｆ値が９．０となるときであり、そのときに対応する開口は１Ｃとなる。それにより、絞りの回折現象による像の劣化を抑えている。
【０１５４】
また、図２７に示すターレット１０に代えて、図２８（ａ）に示すターレット１０’を用いた例を示す。撮像光学系の第１群Ｇ１と第２群Ｇ２との間の光軸上の明るさ絞り位置に、０段、−１段、−２段、−３段、−４段の明るさ調節を可能とするターレット１０’を配置している。ターレット１０’には、０段の調整をする開口形状が直径約４ｍｍの円形で固定の開口１Ａ' と、−１段補正するために開口１Ａ’の開口面積の約半分の開口面
積を有する開口形状が固定の開口１Ｂ' と、さらに開口面積が順に小さくなり、−２段、−３段、−４段に補正するための形状が固定の開口部１Ｃ' 、１Ｄ' 、１Ｅ' とを有している。そして、ターレット１０’の回転軸１１の周りの回動により何れかの開口を絞り位置に配することで光量調節を行っている。
【０１５５】
また、これら複数の開口の中の１Ａ' から１Ｄ' にそれぞれ空間周波数特性の異なる光学的ローパスフィルターを配している。そして、図２８（ｂ）に示すように、開口径が小さくなる程光学フィルターの空間周波数特性を高く設定しており、それにより絞り込むことによる回折現象による像の劣化を抑えている。なお、図２８（ｂ）の各曲線は、ローパスフィルターのみの空間周波数特性を示すものであり、各絞りの回折も含めた特性は何れも等しくなるように設定しているものである。
【０１５６】
さて、以上のような本発明の電子撮像装置は、ズームレンズ等の結像光学系で物体像を形成しその像をＣＣＤや銀塩フィルムといった撮像素子に受光させて撮影を行う撮影装置、とりわけデジタルカメラやビデオカメラ、情報処理装置の例であるパソコン、電話、特に持ち運びに便利な携帯電話等に用いることができる。以下に、その実施形態を例示する。
【０１５７】
図２９〜図３１は、本発明による結像光学系をデジタルカメラの撮影光学系４１に組み込んだ構成の概念図を示す。図２９はデジタルカメラ４０の外観を示す前方斜視図、図３０は同後方斜視図、図３１はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例２の光路折り曲げズーム光学系を通して撮影が行われる。撮影光学系４１によって形成された物体像が、近赤外カットフィルターＩＦと光学的ローパスフィルターＬＦを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１５８】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【０１５９】
このように構成されたデジタルカメラ４０は、撮影光学系４１が広画角で高変倍比であり、収差が良好で、明るく、フィルター等が配置できるバックフォーカスの大きなズームレンズであるので、高性能・低コスト化が実現できる。
【０１６０】
なお、図３１の例では、カバー部材５０として平行平面板を配置しているが、パワーを持ったレンズを用いてもよい。
【０１６１】
次に、本発明の結像光学系が対物光学系として内蔵された情報処理装置の一例であるパソコンが図３２〜図３４に示される。図３２はパソコン３００のカバーを開いた前方斜視
図、図３３はパソコン３００の撮影光学系３０３の断面図、図３４は図３２の状態の側面図である。図３２〜図３４に示されるように、パソコン３００は、外部から繰作者が情報を入力するためのキーボード３０１と、図示を省略した情報処理手段や記録手段と、情報を操作者に表示するモニター３０２と、操作者自身や周辺の像を撮影するための撮影光学系３０３とを有している。ここで、モニター３０２は、図示しないバックライトにより背面から照明する透過型液晶表示素子や、前面からの光を反射して表示する反射型液晶表示素子や、ＣＲＴディスプレイ等であってよい。また、図中、撮影光学系３０３は、モニター３０２の右上に内蔵されているが、その場所に限らず、モニター３０２の周囲や、キーボード３０１の周囲のどこであってもよい。
【０１６２】
この撮影光学系３０３は、撮影光路３０４上に、本発明による光路折り曲げズーム光学系（図では略記）からなる対物レンズ１１２と、像を受光する撮像素子チップ１６２とを有している。これらはパソコン３００に内蔵されている。
【０１６３】
ここで、撮像素子チップ１６２上には光学的ローパスフィルターＬＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端（図示略）には、対物レンズ１１２を保護するためのカバーガラス１１４が配置されている。なお、鏡枠１１３中のズームレンズの駆動機構等は図示を省いてある。
【０１６４】
撮像素子チップ１６２で受光された物体像は、端子１６６を介して、パソコン３００の処理手段に入力され、電子画像としてモニター３０２に表示される、図３２には、その一例として、操作者の撮影された画像３０５が示されている。また、この画像３０５は、処理手段を介し、インターネットや電話を介して、遠隔地から通信相手のパソコンに表示されることも可能である。
【０１６５】
次に、本発明の結像光学系が撮影光学系として内蔵された情報処理装置の一例である電話、特に持ち運びに便利な携帯電話が図３５に示される。図３５（ａ）は携帯電話４００の正面図、図３５（ｂ）は側面図、図３５（ｃ）は撮影光学系４０５の断面図である。図３５（ａ）〜（ｃ）に示されるように、携帯電話４００は、操作者の声を情報として入力するマイク部４０１と、通話相手の声を出力するスピーカ部４０２と、操作者が情報を入力する入力ダイアル４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図示せず）とを有している。ここで、モニター４０４は液晶表示素子である。また、図中、各構成の配置位置は、特にこれらに限られない。この撮影光学系４０５は、撮影光路４０７上に配置された本発明による光路折り曲げズーム光学系（図では略記）からなる対物レンズ１１２と、物体像を受光する撮像素子チップ１６２とを有している。これらは、携帯電話４００に内蔵されている。
【０１６６】
ここで、撮像素子チップ１６２上には光学的ローパスフィルターＬＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端（図示略）には、対物レンズ１１２を保護するためのカバーガラス１１４が配置されている。なお、鏡枠１１３中のズームレンズの駆動機構等は図示を省いてある。
【０１６７】
撮影素子チップ１６２で受光された物体像は、端子１６６を介して、図示していない処理手段に入力され、電子画像としてモニター４０４に、又は、通信相手のモニターに、又は、両方に表示される。また、通信相手に画像を送信する場合、撮像素子チップ１６２で受光された物体像の情報を、送信可能な信号へと変換する信号処理機能が処理手段には含まれている。
【０１６８】
以上の本発明の電子撮像装置は例えば次のように構成することができる。
【０１６９】
〔１〕  広角端から望遠端に変倍する際に物体側にのみ移動する群を少なくとも１つ含み、変倍時に可動な全ての群の最も物体側のレンズよりも物体側に光路を折り曲げるための反射光学素子を少なくとも１つ含む光路折り曲げズーム光学系及びその像側に配置された電子撮像素子を有することを特徴とする電子撮像装置。
【０１７０】
〔２〕  最も物体側のレンズから前記変倍時に可動な全ての群の中最も物体側の面の直前までの部分系の合成焦点距離が負である上記１記載の電子撮像装置。
【０１７１】
〔３〕  物体側より順に、負レンズ群と光路折り曲げのための反射光学素子とにて構成された第１−１群、正レンズを１枚含む第１−２群、正の屈折力を有する第２群を含み、広角端から望遠端に変倍する際は前記第２群が物体側にのみ移動する光路折り曲げズーム光学系及びその像側に配置された電子撮像素子を有することを特徴とする電子撮像装置。
【０１７２】
〔４〕  物体側より順に、入射面、射出面の少なくとも一方が凹面である光路折り曲げのための反射光学素子であるプリズムを含む第１−１群、正レンズを１枚含む第１−２群、正の屈折力を有する第２群を含み、広角端から望遠端に変倍する際は前記第２群が物体側へ単調に移動するような光路折り曲げズーム光学系及びその像側に配置された電子撮像素子を有することを特徴とする電子撮像装置。
【０１７３】
〔５〕  前記第２群の像側に正の屈折力を有する第３群を含み、広角端から望遠端に変倍する際は前記第２群と第３群が相対的間隔を変えながら移動することを特徴とする上記３又は４記載の電子撮像装置。
【０１７４】
〔６〕  沈胴時に前記反射光学素子を退避し、その空間に前記反射光学素子よりも物体側にある負レンズ群を収納することを特徴とする上記３又は４記載の電子撮像装置。
【０１７５】
〔７〕  物体側より順に、負の第１レンズ群、光路折り曲げのための反射光学素子、正の第２レンズ群を有し、沈胴時に前記反射光学素子を退避し、その空間に前記第１レンズ群を収納する光路折り曲げズーム光学系及びその像側に配置された電子撮像素子を有することを特徴とする電子撮像装置。
【０１７６】
〔８〕  前記第１レンズ群の収納時、前記第２レンズ群が撮影時の最も像面から離れた位置よりも像側に退避することを特徴とする上記７記載の電子撮像装置。
【０１７７】
〔９〕  前記反射光学素子を薄板に反射ミラーコーティングを施した反射ミラーで構成し、前記収納時、前記反射ミラーを反射面が折り曲げ前の光軸と垂直な方向にチルトすることを特徴とする上記６又は７記載の電子撮像装置。
【０１７８】
〔１０〕  前記反射光学素子が像面方向に退避することを特徴とする上記８記載の電子撮像装置。
【０１７９】
〔１１〕  反射光学素子を含む撮影光学系と電子撮像素子との間に、前記反射光学素子での反射前後の光軸を含む平面に対し略垂直の側にも光路を分割する第２の反射面を設け、その反射側に沿って前記第２の反射面の法線に対し略直角である法線を有し、かつ、前記第２の反射面の光軸を含む入射平面と略同一の入射平面を有する第３の反射面を設け、さらに、反射後の光路が前記撮影光学系の入射側の光軸と略平行に射出するように第４の反射面を設けたことを特徴とする電子撮像装置。
【０１８０】
〔１２〕  前記反射光学素子の反射面の直前の屈折面から反射面の直後の屈折面までの光軸上の空気換算長ｄが以下の条件（ａ）を満足することを特徴とする上記３又は４記載の電子撮像装置。
【０１８１】
（ａ）      ０．５＜ｄ／Ｌ＜１．６
ただし、Ｌは電子撮像素子の有効撮像領域の対角長である。
【０１８２】
〔１３〕  前記反射面により光路を折り曲げる方向の画角が２５°±３°の範囲内の場合は以下の条件（ａ−１）を満足し、前記画角が１９°±３°の範囲内の場合は以下の条件（ａ−２）を満足することを特徴とする上記１２記載の電子撮像装置。
【０１８３】
（ａ−１）  ０．８＜ｄ／Ｌ＜１．４
（ａ−２）  ０．５＜ｄ／Ｌ＜１．０
〔１４〕  前記反射光学素子を、平面部を有するプリズムの平面部に平凹レンズが接合さた接合プリズムで構成したことを特徴とする上記１、３、４の何れか１項記載の電子撮像装置。
【０１８４】
〔１５〕  最も物体側に正レンズを配したことを特徴とする上記１、３、４の何れか１項記載の電子撮像装置。
【０１８５】
〔１６〕  前記ズーム光学系の最も像面側に非球面を有する単レンズにて構成した最終群を有することを特徴とする上記１、３、４の何れか１項記載の電子撮像装置。
【０１８６】
〔１７〕  前記最終群は固定であることを特徴とする上記１６記載の電子撮像装置。
【０１８７】
〔１８〕  前記ズーム光学系の最も像面側に最終群を配し、前記最終群を除く前記第２群以降の群でフォーカシングを行うことを特徴とする上記１、３、４の何れか１項記載の電子撮像装置。
【０１８８】
〔１９〕  前記ズーム光学系の最も像面側に最終群を配し、前記最終群から物体側に２番目の群でフォーカシングを行うことを特徴とする上記１、３、４の何れか１項記載の電子撮像装置。
【０１８９】
〔２０〕  前記最終群から物体側に２番目の群と３番目の群の望遠端での無限遠物点合焦時の光軸上空気間隔ＤFTが以下の条件式を満足することを特徴とする上記１９記載の電子撮像装置。
【０１９０】
（ｂ）      ０．１＜ＤFT／ｆT ＜１．５
ただし、ｆT は望遠端での無限遠物点合焦時の全系焦点距離である。
【０１９１】
〔２１〕  無限遠合焦時に広角端から望遠端に変倍する際の前記第２群、前記第３群のそれぞれの移動量Ｍ2 、Ｍ3 の比が以下の条件（ｃ）を満足することを特徴とする上記５記載の電子撮像装置。
【０１９２】
（ｃ）      ０．５＜Ｍ3 ／Ｍ2 ＜２．０
〔２２〕  前記第１−２群を含みそれよりも物体側の群全体は変倍時、フォーカシング時共に固定であることを特徴とする上記３又は４記載の電子撮像装置。
【０１９３】
〔２３〕  前記第１−２群は、物体側から順に、負レンズ、正レンズの２枚若しくは正レンズ１枚から構成したことを特徴とする上記３、４、５の何れか１項記載の電子撮像装置。
【０１９４】
〔２４〕  前記第１−１群における光路を折り曲げるための前記反射光学素子より物体側の負レンズ群は、物体側に凸の負レンズ１枚のみであることを特徴とする上記３記載の電子撮像装置。
【０１９５】
〔２５〕  前記第１−１群と前記第１−２群のパワー比が以下の条件（ｄ）を満足することを特徴とする上記３又は４記載の電子撮像装置。
【０１９６】
（ｄ）      −０．８＜ｆ11／ｆ12＜０．９
ただし、ｆ11は第１−１群の焦点距離、ｆ12は第１−２群の焦点距離である。
【０１９７】
〔２６〕  前記第２群又は前記第３群の何れか一方が単レンズであることを特徴とする上記５記載の電子撮像装置。
【０１９８】
〔２７〕  前記第２群又は前記第３群の何れか一方が単レンズで構成され、他方の群が少なくとも凹レンズを含むことを特徴とする上記５記載の電子撮像装置。
【０１９９】
〔２８〕  前記第２群と前記第３群は変倍時に相対的間隔を変えながら同一方向に移動することを特徴とする上記５記載の電子撮像装置。
【０２００】
〔２９〕  望遠端において以下の条件（ｅ）を満足することを特徴とする上記５記載の電子撮像装置。
【０２０１】
（ｅ）      ０．７＜−βRt＜２．１
ただし、βRtは第２群以降の望遠端における合成倍率（無限遠物点）である。
【０２０２】
〔３０〕  前記ズーム光学系後方にある電子撮像素子よりも物体側に、６００ｎｍでの透過率が８０％以上、７００ｎｍでの透過率が１０％以下の近赤外シャープカットコートを用いたフィルターを配したことを特徴とする上記１、３、４の何れか１項記載の電子撮像装置。
【０２０３】
〔３１〕  前記電子撮像素子が補色モザイクフィルターを有することを特徴とする上記３０記載の電子撮像装置。
【０２０４】
〔３２〕  前記ズーム光学系後方にある電子撮像素子よりも物体側に総厚ｔLPF （ｍｍ）が以下の条件（ｆ）を満たす光学的ローパスフィルターを配したことを特徴とする上記１、３、４の何れか１項記載の電子撮像装置。
【０２０５】
（ｆ）      ０．１５ａ＜ｔLPF ＜０．４５ａ
ただし、ａは電子撮像素子の水平画素ピッチ（単位μｍ）であり、ａは５μｍ以下である。
【０２０６】
〔３３〕  前記ズーム光学系後方にある電子撮像素子よりも物体側に総厚ｔLPF （ｍｍ）が以下の条件（ｆ' ）を満たす光学的ローパスフィルターを配したことを特徴とする上記１、３、４の何れか１項記載の電子撮像装置。
【０２０７】
（ｆ’）    ０．１３ａ＜ｔLPF ＜０．４２ａ
ただし、ａは電子撮像素子の水平画素ピッチ（単位μｍ）であり、ａは４μｍ以下である。
【０２０８】
〔３４〕  開口形状が固定の複数の開口を有し、その中の１つを第１群の最も像側のレンズ面と第３群の最も物体側のレンズ面の間の何れかの光路内に挿入可能であり、かつ、他の開口と交換可能とすることで像面照度の調節を行うことを特徴とする上記１、３、４の何れか１項記載の電子撮像装置。
【０２０９】
〔３５〕  前記複数の開口の中、一部の開口内に５５０ｎｍに対する透過率が８０％未満である媒体を有すると共に、他の一部の開口の波長５５０ｎｍに対する透過率を８０％以上としたことを特徴とする上記３４記載の電子撮像装置。
【０２１０】
〔３６〕  ズーム光学系の焦点距離と入射瞳の直径から求まるＦナンバーをＦno、前記開口における波長５５０ｎｍにおける透過率をＴとしたときのＦno／√Ｔを実効Ｆno’とし、前記電子撮像素子の水平画素ピッチをａとするとき、Ｆno’＞ａ（μｍ）／０．４μｍとなるような実効Ｆナンバーに相当する光量になるように調節する場合は、開口内に５５０ｎｍに対する透過率Ｔが８０％未満の媒体を備えた開口を前記ズーム光学系の光路に挿入するようにしたことを特徴とする上記３４記載の電子撮像装置。
【０２１１】
〔３７〕  前記複数の開口の中の複数にそれぞれ空間周波数特性の異なる光学的ローパスフィルターを配したことを特徴とする上記３４記載の電子撮像装置。
【０２１２】
〔３８〕  収納時に少なくとも反射光学素子以外の１枚のレンズをチルト移動させることで撮影時よりも薄く収納することを特徴とする上記１記載の電子撮像装置。
【０２１３】
〔３９〕  前記反射光学素子をプリズムにて構成し、前記プリズムの外殻を固体で形成し、内部を液体で充填し、前記ズーム光学系の沈胴時に前記液体を抜くことにより薄く変形させることを特徴とする上記１、３、４、６の何れか１項記載の電子撮像装置。
【０２１４】
〔４０〕  前記第４の反射面により反射された光束を観察者眼球に導くファインダー光路としたことを特徴とする上記１１記載の電子撮像装置。
【０２１５】
〔４２〕  前記反射光学素子を移動させることで撮影方向を変更可能としたことを特徴とする上記１、３、４、６、１１の何れか１項記載の電子撮像装置。    〔４３〕  広角端から望遠端に変倍する際に物体側にのみ移動する群を少なくとも１つ含み、変倍時に可動な全ての群の最も物体側のレンズよりも物体側に入射面・射出面の少なくとも一方が曲率を有する面である光路を折り曲げるための反射光学素子を少なくとも１つ含む光路折り曲げズーム光学系及びその像側に配置された電子撮像素子を有することを特徴とする電子撮像装置。
【０２１６】
〔４４〕  前記光路を折り曲げるための反射光学素子が前記光路折り曲げズーム光学系の最も物体側に配置されていることを特徴とする上記４３記載の電子撮像装置。
【０２１７】
〔４５〕  前記光路を折り曲げるための反射光学素子は入射面が物体側に凹面を向けていることを特徴とする上記４３又は４４記載の電子撮像装置。
【０２１８】
〔４６〕  前記光路を折り曲げるための反射光学素子は入射面が非球面であることを特徴とする上記４５記載の電子撮像装置。
【０２１９】
〔４７〕  前記光路を折り曲げるための反射光学素子は射出面が平面であることを特徴とする上記４６記載の電子撮像装置。
【０２２０】
〔４８〕  前記の広角端から望遠端に変倍する際に物体側にのみ移動する群は、２つの正レンズと少なくとも１つの負レンズとからなり、少なくとも１つずつの正レンズと負レンズが互いに接合されていることを特徴とする上記４３から４７の何れか１項記載の電子撮像装置。
【０２２１】
〔４９〕  前記の広角端から望遠端に変倍する際に物体側にのみ移動する群は、２つの正レンズと１つの負レンズとからなり、前記負レンズが少なくとも一方の正レンズと互いに接合されていることを特徴とする上記４３から４７の何れか１項記載の電子撮像装置。
【産業上の利用可能性】
【０２２２】
以上の説明から明らかなように、本発明により、沈胴厚が薄く、収納性に優れ、かつ、高倍率でリアフォーカスにおいても結像性能の優れたズームレンズを得ることができ、ビデオカメラやデジタルカメラの徹底的薄型化を図ることが可能となる。
【符号の説明】
【０２２３】
Ｇ１…第１群
Ｇ１−１…第１−１群
Ｇ１−２…第１−２群
Ｇ２…第２群
Ｇ３…第３群
Ｇ４…第４群
Ｇ５…第５群
Ｐ…光路折り曲げプリズム
Ｓ…開口絞り（独立の場合）
ＩＦ…近赤外カットフィルター
ＩＣ…近赤外カットコート面
ＬＦ…光学的ローパスフィルター
ＣＧ…カバーガラス
Ｉ…像面
Ｅ…観察者眼球
Ｌ１…負メニスカスレンズ
Ｍ…光路折り曲げ用ミラー
Ｌ２、Ｌ３…レンズ
ＬＧ…レンズ群
ＬＰ…液体プリズム、変形可能なプリズム
ＤＭ…形状可変ミラー
Ｍ１…反射光学素子
ＬＡ…レンズ群
Ｍ２…光路分割素子
Ｍ３、Ｍ４…反射面
１Ａ、１Ｂ、１Ｃ、１Ｄ、１Ｅ…開口
１Ａ’、１Ｂ’、１Ｃ’、１Ｄ’、１Ｅ’…開口
１０…ターレット
１０’…ターレット
１１…回転軸
４０…デジタルカメラ
４１…撮影光学系
４２…撮影用光路
４３…ファインダー光学系
４４…ファインダー用光路
４５…シャッター
４６…フラッシュ
４７…液晶表示モニター
４９…ＣＣＤ
５０…カバー部材
５１…処理手段
５２…記録手段
５３…ファインダー用対物光学系
５５…ポロプリズム
５７…視野枠
５９…接眼光学系
１１２…対物レンズ
１１３…鏡枠
１１４…カバーガラス
１６０…撮像ユニット
１６２…撮像素子チップ
１６６…端子
３００…パソコン
３０１…キーボード
３０２…モニター
３０３…撮影光学系
３０４…撮影光路
３０５…画像
４００…携帯電話
４０１…マイク部
４０２…スピーカ部
４０３…入力ダイアル
４０４…モニター
４０５…撮影光学系
４０６…アンテナ
４０７…撮影光路
【図１】
2011008274.tif 000003
【図２】
2011008274.tif 000004
【図３】
2011008274.tif 000005
【図４】
2011008274.tif 000006
【図５】
2011008274.tif 000007
【図６】
2011008274.tif 000008
【図７】
2011008274.tif 000009
【図８】
2011008274.tif 000010
【図９】
2011008274.tif 000011
【図１０】
2011008274.tif 000012
【図１１】
2011008274.tif 000013
【図１２】
2011008274.tif 000014
【図１３】
2011008274.tif 000015
【図１４】
2011008274.tif 000016
【図１５】
2011008274.tif 000017
【図１６】
2011008274.tif 000018
【図１７】
2011008274.tif 000019
【図１８】
2011008274.tif 000020
【図１９】
2011008274.tif 000021
【図２０】
2011008274.tif 000022
【図２１】
2011008274.tif 000023
【図２２】
2011008274.tif 000024
【図２３】
2011008274.tif 000025
【図２４】
2011008274.tif 000026
【図２５】
2011008274.tif 000027
【図２６】
2011008274.tif 000028
【図２７】
2011008274.tif 000029
【図２８】
2011008274.tif 000030
【図２９】
2011008274.tif 000031
【図３０】
2011008274.tif 000032
【図３１】
2011008274.tif 000033
【図３２】
2011008274.tif 000034
【図３３】
2011008274.tif 000035
【図３４】
2011008274.tif 000036
【図３５】
2011008274.tif 000037